(57)【要約】  ユーザ機器が、ＣＤＭＡ２０００ネットワークに接続するために回線交換フォールバックプロシージャを実行する、ワイヤレス通信のための方法、装置、およびコンピュータプログラム製品が提供される。ＣＤＭＡ２０００ネットワークはＵＥによってまたはネットワークによって選択され得る。複数のＰＬＭＮ  ＩＤが維持され得、ＩＤは、ＬＴＥ  ＲＡＮを含むネットワークに関係する。各ＰＬＭＮ  ＩＤは、ＬＴＥ  ＲＡＮを共有するＣＤＭＡ２０００ネットワークに関連し得る。ＣＤＭＡ２０００ネットワークが、ＬＴＥ  ＲＡＮ中で動作しているユーザ機器の回線交換フォールバックのために選択され得る。ユーザ機器は、選択されたＣＤＭＡ２０００ネットワーク上で回線交換フォールバックプロシージャを実行するように構成され得る。ＣＤＭＡ２０００ネットワークは、ＰＬＭＮ選択プロシージャに応答するモビリティ管理エンティティによって選択され得る。ＰＬＭＮ選択プロシージャは、ＵＥが複数オペレータ能力を報告するときに実行され得る。
2015512595.tif 000002
【特許請求の範囲】
【請求項１】
ロングタームエボリューション無線アクセスネットワーク（ＬＴＥ  ＲＡＮ）に接続されている間、複数のＣＤＭＡ２０００ネットワークについてのネットワーク情報を受信することであって、前記ネットワーク情報がシステム情報ブロック（ＳＩＢ）中で受信される、受信することと、
回線交換フォールバック（ＣＳＦＢ）のためのＣＤＭＡ２０００ネットワークを識別することと、
前記選択されたＣＤＭＡ２０００ネットワーク上でＣＳＦＢプロシージャを実行することと
を備える、ワイヤレス通信の方法。
【請求項２】
前記ネットワーク情報がデフォルトネットワークに関係する、請求項１に記載の方法。
【請求項３】
基地局から前記複数の識別されたＣＤＭＡ２０００ネットワークに関連するＣＤＭＡ２０００パラメータを受信することをさらに備える、請求項２に記載の方法。
【請求項４】
ＣＤＭＡ２０００ネットワークを識別することが、ネットワークエンティティによって選択されたＣＤＭＡ２０００ネットワークに対応するネットワーク識別子を受信することを含む、請求項２に記載の方法。
【請求項５】
前記ネットワーク情報が複数のパブリックランドモバイルネットワーク（ＰＬＭＮ）識別子（ＩＤ）を備え、各ＰＬＭＮ  ＩＤが、前記ＬＴＥ  ＲＡＮを共有するＣＤＭＡ２０００ネットワークに関連する、請求項１に記載の方法。
【請求項６】
各ＰＬＭＮ  ＩＤをシステムＩＤ（ＳＩＤ）とＣＤＭＡ２０００ネットワークに対応するネットワークＩＤ（ＮＩＤ）とのうちの１つまたは複数にマッピングする、前記複数のＰＬＭＮ  ＩＤのマッピングを維持することをさらに備える、請求項５に記載の方法。
【請求項７】
ＣＳＦＢのための前記ＣＤＭＡ２０００ネットワークを選択することが、前記複数のＰＬＭＮ  ＩＤのうちの１つを選択することを含む、請求項５に記載の方法。
【請求項８】
前記ＣＳＦＢプロシージャを実行することが、無線リソース制御（ＲＲＣ）接続要求を送ることを備え、前記ＲＲＣメッセージが前記選択されたＰＬＭＮ  ＩＤを含む、請求項７に記載の方法。
【請求項９】
前記ＣＳＦＢプロシージャを実行することが、前記選択されたＰＬＭＮ  ＩＤを含むＲＲＣ接続セットアップ完了メッセージを送ることをさらに備える、請求項８に記載の方法。
【請求項１０】
前記ＣＳＦＢプロシージャを実行することが、前記ＲＲＣ接続セットアップ完了メッセージを送ることの後に、ＣＳＦＢのために選択された前記ＣＤＭＡ２０００ネットワークのためのネットワークパラメータを要求することを備える、請求項９に記載の方法。
【請求項１１】
前記ＣＳＦＢプロシージャを実行することが、複数のＣＳＦＢ関係アップリンクメッセージを送ることを備え、前記ＣＳＦＢ関係アップリンクメッセージの各々が、前記選択されたＣＤＭＡ２０００ネットワークを識別する情報を含む、請求項１に記載の方法。
【請求項１２】
ロングタームエボリューション無線アクセスネットワーク（ＬＴＥ  ＲＡＮ）に接続されている間、複数のＣＤＭＡ２０００ネットワークについてのネットワーク情報を受信するための手段であって、前記ネットワーク情報がシステム情報ブロック（ＳＩＢ）中で受信される、受信するための手段と、
回線交換フォールバック（ＣＳＦＢ）のためのＣＤＭＡ２０００ネットワークを選択するための手段と、
前記選択されたＣＤＭＡ２０００ネットワーク上でＣＳＦＢプロシージャを実行するための手段と
を備える、ワイヤレス通信のための装置。
【請求項１３】
前記ネットワーク情報がデフォルトネットワークに関係する、請求項１２に記載の装置。
【請求項１４】
受信するための前記手段が、基地局から前記識別されたＣＤＭＡ２０００ネットワークに関連するＣＤＭＡ２０００パラメータを受信する、請求項１３に記載の装置。
【請求項１５】
選択するための前記手段が、基地局から受信され、ネットワークエンティティによって選択されたＣＤＭＡ２０００ネットワークに対応するネットワーク識別子に基づいて、前記選択されたＣＤＭＡ２０００ネットワークを識別する、請求項１３に記載の装置。
【請求項１６】
前記ネットワーク情報が複数のパブリックランドモバイルネットワーク（ＰＬＭＮ）識別子（ＩＤ）を備え、各ＰＬＭＮ  ＩＤが、前記ＬＴＥ  ＲＡＮを共有するＣＤＭＡ２０００ネットワークに関連する、請求項１２に記載の装置。
【請求項１７】
各ＰＬＭＮ  ＩＤをシステムＩＤ（ＳＩＤ）とＣＤＭＡ２０００ネットワークに対応するネットワークＩＤ（ＮＩＤ）とのうちの１つまたは複数にマッピングする、前記複数のＰＬＭＮ  ＩＤのマッピングを維持するための手段をさらに備える、請求項１６に記載の装置。
【請求項１８】
ＣＳＦＢのための前記ＣＤＭＡ２０００ネットワークを選択するための前記手段が、前記複数のＰＬＭＮ  ＩＤのうちの１つを選択する、請求項１６に記載の装置。
【請求項１９】
前記ＣＳＦＢプロシージャを実行するための前記手段が、無線リソース制御（ＲＲＣ）接続要求を送り、前記ＲＲＣメッセージが、前記選択されたＰＬＭＮ  ＩＤを含む、請求項１８に記載の装置。
【請求項２０】
前記ＣＳＦＢプロシージャを実行するための前記手段がさらに、前記選択されたＰＬＭＮ  ＩＤを含むＲＲＣ接続セットアップ完了メッセージを送る、請求項１９に記載の装置。
【請求項２１】
前記ＣＳＦＢプロシージャを実行するための前記手段が、前記ＲＲＣ接続セットアップ完了メッセージを送ることの後に、ＣＳＦＢのために選択された前記ＣＤＭＡ２０００ネットワークのためのネットワークパラメータを要求する、請求項２０に記載の装置。
【請求項２２】
前記ＣＳＦＢプロシージャを実行するための前記手段が、複数のＣＳＦＢ関係アップリンクメッセージを送り、前記ＣＳＦＢ関係アップリンクメッセージの各々が、前記選択されたＣＤＭＡ２０００ネットワークを識別する情報を含む、請求項１２に記載の装置。
【請求項２３】
ロングタームエボリューション無線アクセスネットワーク（ＬＴＥ  ＲＡＮ）に接続されている間、複数のＣＤＭＡ２０００ネットワークについてのネットワーク情報を受信することと、
回線交換フォールバック（ＣＳＦＢ）のためのＣＤＭＡ２０００ネットワークを識別することと、
前記選択されたＣＤＭＡ２０００ネットワーク上でＣＳＦＢプロシージャを実行することと
を行うように構成された処理システム
を備える、ワイヤレス通信のための装置。
【請求項２４】
ロングタームエボリューション無線アクセスネットワーク（ＬＴＥ  ＲＡＮ）に接続されている間、複数のＣＤＭＡ２０００ネットワークについてのネットワーク情報を受信することと、
回線交換フォールバック（ＣＳＦＢ）のためのＣＤＭＡ２０００ネットワークを選択することと、
前記選択されたＣＤＭＡ２０００ネットワーク上でＣＳＦＢプロシージャを実行することと
を行うためのコードを備えるコンピュータ可読媒体
を備える、コンピュータプログラム製品。
【請求項２５】
ロングタームエボリューション無線アクセスネットワーク（ＬＴＥ  ＲＡＮ）を含むネットワーク中の複数のパブリックランドモバイルネットワーク（ＰＬＭＮ）識別子（ＩＤ）を判断することであって、各ＰＬＭＮ  ＩＤが、前記ＬＴＥ  ＲＡＮを共有するＣＤＭＡ２０００ネットワークに関連する、判断することと、
前記ＬＴＥ  ＲＡＮ中で動作するユーザ機器（ＵＥ）の回線交換フォールバック（ＣＳＦＢ）のためのＣＤＭＡ２０００ネットワークを選択することと、
前記ＵＥに構成情報を与えることであって、前記構成情報が、前記選択されたＣＤＭＡ２０００ネットワーク上でＣＳＦＢプロシージャを実行するように前記ＵＥを構成する、与えることと
を備える、ワイヤレス通信の方法。
【請求項２６】
前記ＣＤＭＡ２０００ネットワークが、ＰＬＭＮ選択プロシージャに応答するモビリティ管理エンティティ（ＭＭＥ）によって選択される、請求項２５に記載の方法。
【請求項２７】
前記ＰＬＭＮ選択プロシージャは、前記ＵＥが複数オペレータ能力を報告するときに実行される、請求項２６に記載の方法。
【請求項２８】
前記ＭＭＥにおいて前記選択されたＣＤＭＡ２０００ネットワークに関連するネットワーク情報を維持することをさらに備える、請求項２７に記載の方法。
【請求項２９】
前記情報が、前記選択されたＣＤＭＡ２０００ネットワークに基づく測定構成を備える、請求項２８に記載の方法。
【請求項３０】
前記ＣＤＭＡ２０００ネットワークが、前記選択されたＣＤＭＡ２０００ネットワークに関連する前記ネットワーク情報に基づいて、ＣＳＦＢのために選択される、請求項２８に記載の方法。
【請求項３１】
前記ＣＤＭＡ２０００ネットワークが、前記ＵＥによって与えられたＰＬＭＮ  ＩＤの指示と、前記ＵＥに対応するトラッキングエリアと、訪問ネットワークポリシーと、前記ＵＥに関連するホームオペレータポリシーとのうちの１つまたは複数に基づいて、ＣＳＦＢのために選択される、請求項２８に記載の方法。
【請求項３２】
前記ホームオペレータポリシーが前記ＭＭＥによって維持される、請求項３１に記載の方法。
【請求項３３】
前記選択されたＣＤＭＡ２０００ネットワークに関連する前記ネットワーク情報が前記ＭＭＥによって前記ＵＥに情報要素（ＩＥ）中で与えられる、請求項２８に記載の方法。
【請求項３４】
前記選択されたＣＤＭＡ２０００ネットワークに関連する前記ネットワーク情報が前記ＵＥにＣＤＭＡ２０００パラメータ中で与えられる、請求項２８に記載の方法。
【請求項３５】
前記ＵＥに構成情報を与えることが、前記選択されたＣＤＭＡ２０００ネットワークに関連する前記ネットワーク情報をシステム情報ブロック中でブロードキャストすることを備える、請求項２７に記載の方法。
【請求項３６】
前記ＵＥに構成情報を与えることが、前記複数のＰＬＭＮ  ＩＤのうちの１つまたは複数をシステム情報ブロック中でブロードキャストすることを備える、請求項２５記載の方法。
【請求項３７】
前記複数のＰＬＭＮ  ＩＤの各々をシステムＩＤ（ＳＩＤ）とＣＤＭＡ２０００ネットワークに対応するネットワークＩＤ（ＮＩＤ）とのうちの１つまたは複数に関連付ける、ＰＬＭＮ  ＩＤのマッピングを維持することをさらに備える、請求項２５に記載の方法。
【請求項３８】
前記ＰＬＭＮ  ＩＤの前記マッピングを前記ＵＥによって維持されたＰＬＭＮ  ＩＤの対応するマッピングと同期させることをさらに備える、請求項３７に記載の方法。
【請求項３９】
ロングタームエボリューション無線アクセスネットワーク（ＬＴＥ  ＲＡＮ）を含むネットワーク中の複数のパブリックランドモバイルネットワーク（ＰＬＭＮ）識別子（ＩＤ）を判断するための手段であって、各ＰＬＭＮ  ＩＤが、前記ＬＴＥ  ＲＡＮを共有するＣＤＭＡ２０００ネットワークに関連する、判断するための手段と、
前記ＬＴＥ  ＲＡＮ中で動作するユーザ機器（ＵＥ）の回線交換フォールバック（ＣＳＦＢ）のためのＣＤＭＡ２０００ネットワークを選択するための手段と、
前記ＵＥに構成情報を送るための手段であって、前記構成情報が、前記選択されたＣＤＭＡ２０００ネットワーク上でＣＳＦＢプロシージャを実行するように前記ＵＥを構成する、送るための手段と
を備える、ワイヤレス通信のための装置。
【請求項４０】
前記ＣＤＭＡ２０００ネットワークが、ＰＬＭＮ選択プロシージャに応答するモビリティ管理エンティティ（ＭＭＥ）によって選択される、請求項３９に記載の装置。
【請求項４１】
前記ＰＬＭＮ選択プロシージャは、前記ＵＥが複数オペレータ能力を報告するときに実行される、請求項４０に記載の装置。
【請求項４２】
前記ＭＭＥにおいて前記選択されたＣＤＭＡ２０００ネットワークに関連するネットワーク情報を維持するための手段をさらに備える、請求項４１に記載の装置。
【請求項４３】
前記情報が、前記選択されたＣＤＭＡ２０００ネットワークに基づく測定構成を備える、請求項４２に記載の装置。
【請求項４４】
前記ＣＤＭＡ２０００ネットワークが、前記選択されたＣＤＭＡ２０００ネットワークに関連する前記ネットワーク情報に基づいて、ＣＳＦＢのために選択される、請求項４２に記載の装置。
【請求項４５】
前記ＣＤＭＡ２０００ネットワークが、前記ＵＥによって与えられたＰＬＭＮ  ＩＤの指示と、前記ＵＥに対応するトラッキングエリアと、訪問ネットワークポリシーと、前記ＵＥに関連するホームオペレータポリシーとのうちの１つまたは複数に基づいて、ＣＳＦＢのために選択される、請求項４２に記載の装置。
【請求項４６】
前記ホームオペレータポリシーが前記ＭＭＥによって維持される、請求項４５に記載の装置。
【請求項４７】
前記選択されたＣＤＭＡ２０００ネットワークに関連する前記ネットワーク情報が前記ＭＭＥによって前記ＵＥに情報要素（ＩＥ）中で与えられる、請求項４２に記載の装置。
【請求項４８】
前記選択されたＣＤＭＡ２０００ネットワークに関連する前記ネットワーク情報が前記ＵＥにＣＤＭＡ２０００パラメータ中で与えられる、請求項４２に記載の装置。
【請求項４９】
構成情報を送るための前記手段が、前記選択されたＣＤＭＡ２０００ネットワークに関連する前記ネットワーク情報をシステム情報ブロック中でブロードキャストする、請求項４１に記載の装置。
【請求項５０】
構成情報を送るための前記手段が、前記複数のＰＬＭＮ  ＩＤのうちの１つまたは複数をシステム情報ブロック中でブロードキャストする、請求項３９に記載の装置。
【請求項５１】
前記複数のＰＬＭＮ  ＩＤの各々をシステムＩＤ（ＳＩＤ）とＣＤＭＡ２０００ネットワークに対応するネットワークＩＤ（ＮＩＤ）とのうちの１つまたは複数に関連付ける、ＰＬＭＮ  ＩＤのマッピングを維持するための手段をさらに備える、請求項３９に記載の装置。
【請求項５２】
前記マッピングを維持するための前記手段が、前記ＰＬＭＮ  ＩＤの前記マッピングを前記ＵＥによって維持されたＰＬＭＮ  ＩＤの対応するマッピングと同期させる、請求項５１に記載の装置。
【請求項５３】
ロングタームエボリューション無線アクセスネットワーク（ＬＴＥ  ＲＡＮ）を含むネットワーク中の複数のパブリックランドモバイルネットワーク（ＰＬＭＮ）識別子（ＩＤ）を判断することであって、各ＰＬＭＮ  ＩＤが、前記ＬＴＥ  ＲＡＮを共有するＣＤＭＡ２０００ネットワークに関連する、判断することと、
前記ＬＴＥ  ＲＡＮ中で動作するユーザ機器（ＵＥ）の回線交換フォールバック（ＣＳＦＢ）のためのＣＤＭＡ２０００ネットワークを選択することと、
前記ＵＥに構成情報を与えることであって、前記構成情報が、前記選択されたＣＤＭＡ２０００ネットワーク上でＣＳＦＢプロシージャを実行するように前記ＵＥを構成する、与えることと
を行うように構成された処理システム
を備える、ワイヤレス通信のための装置。
【請求項５４】
ロングタームエボリューション無線アクセスネットワーク（ＬＴＥ  ＲＡＮ）を含むネットワーク中の複数のパブリックランドモバイルネットワーク（ＰＬＭＮ）識別子（ＩＤ）を判断することであって、各ＰＬＭＮ  ＩＤが、前記ＬＴＥ  ＲＡＮを共有するＣＤＭＡ２０００ネットワークに関連する、判断することと、
前記ＬＴＥ  ＲＡＮ中で動作するユーザ機器（ＵＥ）の回線交換フォールバック（ＣＳＦＢ）のためのＣＤＭＡ２０００ネットワークを選択することと、
前記ＵＥに構成情報を送ることであって、前記構成情報が、前記選択されたＣＤＭＡ２０００ネットワーク上でＣＳＦＢプロシージャを実行するように前記ＵＥを構成する、送ることと
を行うためのコードを備えるコンピュータ可読媒体
を備える、コンピュータプログラム製品。
【請求項５５】
第１の高速パケットデータ（ＨＲＰＤ）オペレータと第１のＨＲＰＤサブネットとに関連する第１のＨＲＰＤサブネット識別子を受信することと、
前記第１のＨＲＰＤサブネット識別子を、ロングタームエボリューション（ＬＴＥ）ネットワークを前記第１のＨＲＰＤオペレータと共有する第２のＨＲＰＤオペレータに関連する第２のＨＲＰＤサブネット識別子と区別することと、
前記区別された第１のＨＲＰＤサブネット識別子に基づいて、前記第１のＨＲＰＤサブネットに対してセッション転送動作を実行すべきかどうかを判断することと
を備える、ワイヤレス通信の方法。
【請求項５６】
前記識別子がパブリックランドモバイルネットワーク（ＰＬＭＮ）識別子を備える、請求項５５に記載の方法。
【請求項５７】
前記第１のＨＲＰＤサブネット識別子が現在ＨＲＰＤサブネットに関連するＨＲＰＤサブネット識別子とは異なるとき、前記第１のＨＲＰＤサブネットに対して前記セッション転送動作を実行することをさらに備える、請求項５５に記載の方法。
【請求項５８】
第１の高速パケットデータ（ＨＲＰＤ）オペレータと第１のＨＲＰＤサブネットとに関連する第１のＨＲＰＤサブネット識別子を受信するための手段と、
前記第１のＨＲＰＤサブネット識別子を、ロングタームエボリューション（ＬＴＥ）ネットワークを前記第１のＨＲＰＤオペレータと共有する第２のＨＲＰＤオペレータに関連する第２のサブネット識別子と区別するための手段と、
前記区別された第１のＨＲＰＤサブネット識別子に基づいて、前記第１のＨＲＰＤサブネットに対してセッション転送動作を実行すべきかどうかを判断するための手段と
を備える、ワイヤレス通信のための装置。
【請求項５９】
前記識別子がパブリックランドモバイルネットワーク（ＰＬＭＮ）識別子を備える、請求項５８に記載の装置。
【請求項６０】
判断するための前記手段が、前記第１のＨＲＰＤサブネット識別子が現在ＨＲＰＤサブネットに関連するＨＲＰＤサブネット識別子とは異なるとき、前記第１のＨＲＰＤサブネットに対して前記セッション転送動作を実行する、請求項５８に記載の装置。
【請求項６１】
第１の高速パケットデータ（ＨＲＰＤ）オペレータと第１のＨＲＰＤサブネットとに関連する第１のＨＲＰＤサブネット識別子を受信することと、
前記第１のＨＲＰＤサブネット識別子を、ロングタームエボリューション（ＬＴＥ）ネットワークを前記第１のＨＲＰＤオペレータと共有する第２のＨＲＰＤオペレータに関連する第２のＨＲＰＤサブネット識別子と区別することと、
前記区別された第１のＨＲＰＤサブネット識別子に基づいて、前記第１のＨＲＰＤサブネットに対してセッション転送動作を実行すべきかどうかを判断することと
を行うように構成された処理システム
を備える、ワイヤレス通信のための装置。
【請求項６２】
前記識別子がパブリックランドモバイルネットワーク（ＰＬＭＮ）識別子を備え、前記第１のＨＲＰＤサブネットに対する前記セッション転送動作は、前記第１のＨＲＰＤサブネット識別子が現在ＨＲＰＤサブネットに関連するＨＲＰＤサブネット識別子とは異なるときに実行される、請求項６１に記載の装置。
【請求項６３】
第１の高速パケットデータ（ＨＲＰＤ）オペレータと第１のＨＲＰＤサブネットとに関連する第１のＨＲＰＤサブネット識別子を受信することと、
前記第１のＨＲＰＤサブネット識別子を、ロングタームエボリューション（ＬＴＥ）ネットワークを前記第１のＨＲＰＤオペレータと共有する第２のＨＲＰＤオペレータに関連する第２のＨＲＰＤサブネット識別子と区別することと、
前記区別された第１のＨＲＰＤサブネット識別子に基づいて、前記第１のＨＲＰＤサブネットに対してセッション転送動作を実行すべきかどうかを判断することと
を行うためのコードを備えるコンピュータ可読媒体
を備える、コンピュータプログラム製品。
【請求項６４】
前記識別子がパブリックランドモバイルネットワーク（ＰＬＭＮ）識別子を備え、前記第１のＨＲＰＤサブネットに対する前記セッション転送動作は、前記第１のＨＲＰＤサブネット識別子が現在ＨＲＰＤサブネットに関連するＨＲＰＤサブネット識別子とは異なるときに実行される、請求項６３に記載のコンピュータプログラム製品。
【請求項６５】
第１の高速パケットデータ（ＨＲＰＤ）オペレータと第１のＨＲＰＤサブネットとに関連する第１のＨＲＰＤサブネット識別子を送信することであって、前記第１のＨＲＰＤサブネット識別子が、ロングタームエボリューション（ＬＴＥ）ネットワークを前記第１のＨＲＰＤオペレータと共有する第２のＨＲＰＤオペレータに関連する第２のＨＲＰＤサブネット識別子と区別可能である、送信することと、
前記第１のＨＲＰＤサブネット識別子に基づいて前記第１のＨＲＰＤサブネットにセッションを転送するようにとの少なくとも１つの要求を受信することと
を備える、ワイヤレス通信の方法。
【請求項６６】
前記識別子がパブリックランドモバイルネットワーク（ＰＬＭＮ）識別子を備える、請求項６５に記載の方法。
【請求項６７】
前記要求は、前記第１のＨＲＰＤサブネット識別子が現在ＨＲＰＤサブネットに関連するＨＲＰＤサブネット識別子とは異なるときに受信される、請求項６５に記載の方法。
【請求項６８】
第１の高速パケットデータ（ＨＲＰＤ）オペレータと第１のＨＲＰＤサブネットとに関連する第１のＨＲＰＤサブネット識別子を送信するための手段であって、前記第１のＨＲＰＤサブネット識別子が、ロングタームエボリューション（ＬＴＥ）ネットワークを前記第１のＨＲＰＤオペレータと共有する第２のＨＲＰＤオペレータに関連する第２のＨＲＰＤサブネット識別子と区別可能である、送信するための手段と、
前記第１のＨＲＰＤサブネット識別子に基づいて前記第１のＨＲＰＤサブネットにセッションを転送するようにとの少なくとも１つの要求を受信するための手段と
を備える、ワイヤレス通信のための装置。
【請求項６９】
前記識別子がパブリックランドモバイルネットワーク（ＰＬＭＮ）識別子を備える、請求項６８に記載の装置。
【請求項７０】
前記要求は、前記第１のＨＲＰＤサブネット識別子が現在ＨＲＰＤサブネットに関連するＨＲＰＤサブネット識別子とは異なるときに受信される、請求項６８に記載の装置。
【請求項７１】
第１の高速パケットデータ（ＨＲＰＤ）オペレータと第１のＨＲＰＤサブネットとに関連する第１のＨＲＰＤサブネット識別子を送信することであって、前記第１のＨＲＰＤサブネット識別子が、ロングタームエボリューション（ＬＴＥ）ネットワークを前記第１のＨＲＰＤオペレータと共有する第２のＨＲＰＤオペレータに関連する第２のＨＲＰＤサブネット識別子と区別可能である、送信することと、
前記第１のＨＲＰＤサブネット識別子に基づいて前記第１のＨＲＰＤサブネットにセッションを転送するようにとの少なくとも１つの要求を受信することと
を行うように構成された処理システム
を備える、ワイヤレス通信のための装置。
【請求項７２】
前記識別子がパブリックランドモバイルネットワーク（ＰＬＭＮ）識別子を備え、前記要求は、前記第１のＨＲＰＤサブネット識別子が現在ＨＲＰＤサブネットに関連するＨＲＰＤサブネット識別子とは異なるときに受信される、請求項７１に記載の装置。
【請求項７３】
第１の高速パケットデータ（ＨＲＰＤ）オペレータと第１のＨＲＰＤサブネットとに関連する第１のＨＲＰＤサブネット識別子を送信することであって、前記第１のＨＲＰＤサブネット識別子が、ロングタームエボリューション（ＬＴＥ）ネットワークを前記第１のＨＲＰＤオペレータと共有する第２のＨＲＰＤオペレータに関連する第２のＨＲＰＤサブネット識別子と区別可能である、送信することと、
前記第１のＨＲＰＤサブネット識別子に基づいて前記第１のＨＲＰＤサブネットにセッションを転送するようにとの少なくとも１つの要求を受信することと
を行うためのコードを備えるコンピュータ可読媒体
を備える、コンピュータプログラム製品。
【請求項７４】
前記識別子がパブリックランドモバイルネットワーク（ＰＬＭＮ）識別子を備え、前記要求は、前記第１のＨＲＰＤサブネット識別子が現在ＨＲＰＤサブネットに関連するＨＲＰＤサブネット識別子とは異なるときに受信される、請求項７３に記載のコンピュータプログラム製品。
【発明の詳細な説明】
【技術分野】
【０００１】
関連出願の相互参照
[0001]  本出願は、両方とも開示の全体が参照により本明細書に明確に組み込まれる、２０１２年４月５日に出願された「METHOD AND APPARATUS FOR LTE RADIO ACCESS NETWORK SHARING」と題する国際出願第ＰＣＴ／ＣＮ２０１２／０７３５２６号と、２０１２年８月２７日に出願された「A METHOD TO ENABLE LTE RAN SHARING BETWEEN MULTIPLE HRPD OPERATORS」と題する国際出願第ＰＣＴ／ＣＮ２０１２／０８０６２２号との利益を主張する。
【０００２】
[0002]  本開示は、一般に通信システムに関し、より詳細には、ワイヤレス通信システムにおいてセル間で移行するための方法に関する。態様は、さらに、複数の高速パケットデータ（ＨＲＰＤ：high rate packet data）オペレータがロングタームエボリューション（ＬＴＥ：long term evolution）無線アクセスネットワーク（ＲＡＮ）を共有することを可能にすることに関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はＬＴＥである。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示の一態様では、回線交換フォールバック（ＣＳＦＢ：circuit-switched fallback）のためのシステムおよび方法について説明する。ＬＴＥ無線アクセスネットワーク（ＲＡＮ）に接続されている間、複数のＣＤＭＡ２０００ネットワークについてのネットワーク情報がユーザ機器によって受信され得る。そのようなＣＤＭＡ２０００ネットワークは、たとえば、ＣＤＭＡ２０００  １ｘネットワークおよび／またはＨＲＰＤネットワークを備え得る。ネットワーク情報は、システム情報ブロック（ＳＩＢ：system information block）中で受信され得る。ＣＤＭＡ２０００ネットワークが、１ｘＣＳＦＢまたはＨＲＰＤハンドオーバ（ＨＯ）のために選択され得る。次いで、１ｘＣＳＦＢプロシージャまたはＨＲＰＤ  ＨＯプロシージャが、選択されたＣＤＭＡ２０００上で実行され得る。
【０００６】
[0006]  ネットワーク情報はデフォルトネットワークに対応し得る。ネットワーク情報は複数のパブリックランドモバイルネットワーク（ＰＬＭＮ：public land mobile network）識別子（ＩＤ）を備え、各ＰＬＭＮ  ＩＤは、ＬＴＥ  ＲＡＮを共有するＣＤＭＡ２０００に関連し得る。
【０００７】
[0007]  本開示の一態様では、各ＰＬＭＮ  ＩＤをシステムＩＤ（ＳＩＤ）とネットワークＩＤ（ＮＩＤ）とのうちの１つまたは複数にマッピングする、複数のＰＬＭＮ  ＩＤのマッピングが維持され得る。ＣＳＦＢのためのＣＤＭＡ２０００ネットワークを選択することは、複数のＰＬＭＮ  ＩＤのうちの１つを選択することを含み得る。ＣＳＦＢ関係プロシージャは無線リソース制御（ＲＲＣ：radio resource control）接続要求を送ることを備え、ＲＲＣ要求は、選択されたＰＬＭＮ  ＩＤを含み得る。ＣＳＦＢ関係プロシージャは、選択されたＰＬＭＮ  ＩＤを含むＲＲＣ接続セットアップ完了メッセージを送ることを備え得る。ＣＳＦＢプロシージャを実行することは、ＲＲＣ接続セットアップ完了メッセージを送ることの後に、ＣＳＦＢのために選択されたＣＤＭＡ２０００ネットワークのためのネットワークパラメータを要求することを備え得る。ＣＳＦＢプロシージャを実行することは、複数のＣＳＦＢ関係アップリンクメッセージを送ることを備え、ＣＳＦＢ関係アップリンクメッセージの各々は、選択されたＰＬＭＮ  ＩＤを含み得る。
【０００８】
[0008]  本開示の一態様では、ネットワーク機器は、ＬＴＥ  ＲＡＮを含むネットワーク中の複数のＰＬＭＮ  ＩＤを判断し得る。各ＰＬＭＮ  ＩＤは、ＬＴＥ  ＲＡＮを共有するＣＤＭＡ２０００ネットワークに関連し得る。ＣＤＭＡ２０００ネットワークが、ＬＴＥ  ＲＡＮ中で動作しているユーザ機器（ＵＥ）のＣＳＦＢのために選択され得る。ＵＥは、選択されたＣＤＭＡ２０００ネットワーク上でＣＳＦＢプロシージャを実行するように構成され得る。ＣＤＭＡ２０００ネットワークは、ＰＬＭＮ選択プロシージャに応答するモビリティ管理エンティティ（ＭＭＥ：mobility management entity）によって選択され得る。ＰＬＭＮ選択プロシージャは、ＵＥが複数オペレータ能力を報告するときに実行され得る。
【０００９】
[0009]  本開示の一態様では、選択されたＣＤＭＡ２０００ネットワークに関連するネットワーク情報が維持される。情報は、選択されたＣＤＭＡ２０００ネットワークに基づく測定構成を備え得る。ＣＤＭＡ２０００ネットワークは、選択されたＣＤＭＡ２０００ネットワークに関連するネットワーク情報に基づいて、ＣＳＦＢのために選択され得る。ＣＤＭＡ２０００ネットワークは、ＵＥによって与えられたＰＬＭＮ  ＩＤの指示と、ＵＥに対応するトラッキングエリアと、訪問ネットワークポリシーと、ＵＥに関連するホームオペレータポリシーとのうちの１つまたは複数に基づいて、ＣＳＦＢのために選択され得る。ホームオペレータポリシーはＭＭＥによって維持され得る。選択された１ｘネットワークに関連するネットワーク情報は、ＭＭＥによってＵＥに情報要素（ＩＥ）中で与えられ得る。選択された１ｘネットワークに関連するネットワーク情報は、ＵＥにＣＤＭＡ２０００パラメータ中で与えられ得る。
【００１０】
[0010]  本開示の一態様では、ＵＥを構成することが、選択されたＣＤＭＡ２０００ネットワークに関連するネットワーク情報をシステム情報ブロック中でブロードキャストすることを備える。ＵＥを構成することは、複数のＰＬＭＮ  ＩＤのうちの１つまたは複数をシステム情報ブロック中でブロードキャストすることを備え得る。複数のＰＬＭＮ  ＩＤの各々をＳＩＤとＮＩＤとのうちの１つまたは複数に関連付ける、ＰＬＭＮ  ＩＤのマッピングが維持され得る。ＰＬＭＮ  ＩＤのマッピングは、ＵＥによって維持されたＰＬＭＮ  ＩＤの対応するマッピングと同期され得る。
【００１１】
[0011]  別の態様では、ワイヤレス通信のためのシステム、方法、装置、およびコンピュータプログラム製品が提示される。本装置は、第１のＨＲＰＤオペレータと第１のＨＲＰＤサブネットとに関連する第１のＨＲＰＤサブネット識別子を受信する。次いで、本装置は、第１のＨＲＰＤサブネット識別子を、ロングタームエボリューション（ＬＴＥ）ネットワークを第１のＨＲＰＤオペレータと共有する第２のＨＲＰＤオペレータに関連する第２のＨＲＰＤサブネット識別子と区別する。その後、本装置は、区別された第１のＨＲＰＤサブネット識別子に基づいて、第１のＨＲＰＤサブネットに対してセッション転送動作を実行すべきかどうかを判断する。
【００１２】
[0012]  識別子はＰＬＭＮ識別子を備え得、第１のＨＲＰＤサブネットに対するセッション転送動作は、第１のＨＲＰＤサブネット識別子が現在ＨＲＰＤサブネットに関連するＨＲＰＤサブネット識別子とは異なるときに実行され得る。
【００１３】
[0013]  別の態様では、ワイヤレス通信のためのシステム、方法、装置、およびコンピュータプログラム製品について説明する。本装置は、第１のＨＲＰＤオペレータと第１のＨＲＰＤサブネットとに関連する第１のＨＲＰＤサブネット識別子を送信し、第１のＨＲＰＤサブネット識別子は、ロングタームエボリューション（ＬＴＥ）ネットワークを第１のＨＲＰＤオペレータと共有する第２のＨＲＰＤオペレータに関連する第２のＨＲＰＤサブネット識別子と区別可能である。次いで、本装置は、第１のＨＲＰＤサブネット識別子に基づいて第１のＨＲＰＤサブネットにセッションを転送するようにとの少なくとも１つの要求を受信する。識別子はＰＬＭＮ識別子を備え得、要求は、第１のＨＲＰＤサブネット識別子が現在ＨＲＰＤサブネットに関連するＨＲＰＤサブネット識別子とは異なるときに受信され得る。
【図面の簡単な説明】
【００１４】
【図１】[0014]  ネットワークアーキテクチャの一例を示す図。
【図２】[0015]  アクセスネットワークの一例を示す図。
【図３】[0016]  ＬＴＥにおけるＤＬフレーム構造の一例を示す図。
【図４】[0017]  ＬＴＥにおけるＵＬフレーム構造の一例を示す図。
【図５】[0018]  ユーザプレーンおよび制御プレーンのための無線プロトコルアーキテクチャの一例を示す図。
【図６】[0019]  アクセスネットワーク中の発展型ノードＢおよびユーザ機器の一例を示す図。
【図７】[0020]  無線アクセス技術間を示すブロック図。
【図８】[0021]  ＵＥ登録を示すブロック図。
【図９】[0022]  ＵＥ登録を示すコールフロー図。
【図１０】[0023]  ＵＥ登録を示すコールフロー図。
【図１１】[0024]  ＵＥ登録を示すコールフロー図。
【図１２】[0025]  ＵＥ登録を示すコールフロー図。
【図１３】[0026]  ワイヤレス通信の方法のフローチャート。
【図１４】[0027]  例示的な装置中の異なるモジュール／手段／構成要素間のデータフローを示す概念データフロー図。
【図１５】[0028]  処理システムを採用する装置のためのハードウェア実装形態の一例を示す図。
【図１６】[0029]  ワイヤレス通信の方法のフローチャート。
【図１７】[0030]  例示的な装置中の異なるモジュール／手段／構成要素間のデータフローを示す概念データフロー図。
【図１８】[0031]  処理システムを採用する装置のためのハードウェア実装形態の一例を示す図。
【図１９】[0032]  発展型ユニバーサル地上波無線アクセスネットワーク（Ｅ−ＵＴＲＡＮ：evolved universal terrestrial radio access network）／発展型パケットコア（ＥＰＣ：evolved packet core）システムと３ＧＰＰ２コアネットワークとの間のインターフェースを示す図。
【図２０】[0033]  ワイヤレス通信の方法のフローチャート。
【図２１】[0034]  ワイヤレス通信の方法のフローチャート。
【図２２】[0035]  例示的な装置中の異なるモジュール／手段／構成要素間のデータフローを示す概念データフロー図。
【図２３】[0036]  例示的な装置中の異なるモジュール／手段／構成要素間のデータフローを示す概念データフロー図。
【図２４】[0037]  処理システムを採用する装置のためのハードウェア実装形態の一例を示す図。
【図２５】[0038]  処理システムを採用する装置のためのハードウェア実装形態の一例を示す図。
【発明を実施するための形態】
【００１５】
[0039]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１６】
[0040]  次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１７】
[0041]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１８】
[0042]  したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気ストレージデバイス、もしくは命令またはデータ構造の形態の所望のプログラムコードを搬送または記憶するために使用され得、コンピュータによってアクセスされ得る任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００１９】
[0043]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のＵＥ１０２と、Ｅ−ＵＴＲＡＮ１０４と、発展型パケットコア（ＥＰＣ）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２０】
[0044]  Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、トランシーバ基地局（base transceiver station）、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２１】
[0045]  ｅＮＢ１０６はＳ１インターフェースによってＥＰＣ１１０に接続される。ＥＰＣ１１０は、モビリティ管理エンティティ（ＭＭＥ）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２２】
[0046]  図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２３】
[0047]  アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２４】
[0048]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々はそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００２５】
[0049]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２６】
[0050]  以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは、正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２７】
[0051]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２８】
[0052]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２９】
[0053]  ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数上でホッピングし得る。
【００３０】
[0054]  初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３１】
[0055]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３２】
[0056]  ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００３３】
[0057]  ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３４】
[0058]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中にＲＲＣサブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３５】
[0059]  図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３６】
[0060]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される参照信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３７】
[0061]  ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３８】
[0062]  コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３９】
[0063]  ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００４０】
[0064]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４１】
[0065]  ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０は、Ｌ１レイヤを実装し得る。
【００４２】
[0066]  コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間での多重分離と、パケット再統合と、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４３】
[0067]  図７は、１ｘＣＳＦＢを示す簡略ブロック図７００である。ＵＥ７０２は、初めにＥ−ＵＴＲＡＮ７０４に登録され得る。パケットデータネットワーク（ＰＤＮ）ゲートウェイ７１０は、ＵＥ７０２から外部パケットデータネットワークへの接続性を与える。ＭＭＥ７０６は制御ノードとして働き、ＵＥ７０２とＥＰＣ１１０との間のシグナリングを処理し（図１参照）、ベアラおよび接続管理を行い得る。ＩＷＳ７０８は、３ＧＰＰ２  １ｘＣＳのために定義された単一の無線ボイス呼連続性相互作用ソリューション機能（radio voice call continuity interworking solution function）を実行し得る。モバイルスイッチングセンター（ＭＳＣ：Mobile switching centre）７１２は、ＣＳアクセスポイント７１４を介した１ｘＲＴＴ音声サービスのプロビジョンにおいて使用されるネットワークスイッチング要素を制御し得る。ＵＥ７０２は、たとえば、ＣＤＭＡ２０００ネットワークを介して音声サービスを取得するためにＵＥ７０２’として１ｘＲＴＴ  ＣＳ７１４に登録され得る。
【００４４】
[0068]  図８に、ネットワーク共有の簡略化された例８００および例８２０を示す。複数オペレータコアネットワーク（ＭＯＣＮ：multiple operator core network）構成８００では、共有ネットワーク８０４、８０６、および８０８のうちの２つ以上が（ＲＡＮ）８０２を共有する。ＲＡＮ８０２は、ＵＥ７０２とコアネットワークとの間の通信の配信に必要とされる地上ベースのインフラストラクチャを備え得る。ＬＴＥでは、ＲＡＮ８０２は、無線ネットワークコントローラ（ＲＮＣ：radio network controller）８４４と、１つまたは複数のｅＮＢ１０６とを備え得る（図１参照）。ゲートウェイコアネットワーク（ＧＷＣＮ：gateway core network）構成８２０では、共有ネットワーク８０４、８０６、および８０８のうちの２つ以上が、ＲＮＣ８４４、８４６、および８４８を含むＲＡＮ８０２と、それらの対応するｅＮＢ１０６と、ＥＰＣネットワーク要素ＭＭＥ７０６とを共有し得る。したがって、ＵＥ７０２がＧＷＣＮ５２０またはＭＯＣＮ５００において展開され、ＬＴＥに接続された場合、たとえば、ＵＥ７０２は、ボイス呼を扱うためにネットワーク８０４、８０６、および８０８のうちの１つを選択し得る。
【００４５】
[0069]  ＵＥ７０２は、複数のアクセス可能なセルまたはネットワークが、異なる周波数および／または異なる無線アクセス技術（ＲＡＴ）を使用して、モビリティ管理、セッション管理、インターネットプロトコルパケットサービスのためのトランスポート、および他のサービスを提供するコアネットワークにアクセスする、ＲＡＮにおいて展開され得る。ＲＡＴは、ＵＭＴＳ、ＴＤ−ＳＣＤＭＡ、ＧＳＭ、ＣＤＭＡ２０００およびＷｉＭＡＸに基づき得る。
【００４６】
[0070]  ＵＥ７０２は、ＵＥ７０２がソースセルからターゲットセルに移動することになるモビリティプロシージャを実行し得る。モビリティプロシージャは、ターゲットセルにキャンプオンするためにソースセルを出ることと、ターゲットセルの特徴を識別することと、ターゲットセル上で接続を確立することと、ターゲットセル上で許可を受信することと、ロケーション更新を開始することとを含み得る。
【００４７】
[0071]  ＵＥ７０２は、優先順位リストに基づいてキャンプオンするために周波数とＲＡＴとを自律的に選択し得る。この優先順位リストは、周波数のセットと、各周波数に関連するＲＡＴと、各周波数の優先順位とを含み得る。たとえば、優先順位リストは、３つの周波数Ｘ、ＹおよびＺを含み得る。周波数Ｘは、ＬＴＥのために使用され得、最高優先順位を有し得、周波数Ｙは、Ｗ−ＣＤＭＡのために使用され得、最低優先順位を有し得、周波数Ｚは、１ｘＲＴＴのために使用され得、中間優先順位を有し得る。概して、優先順位リストは、ＲＡＴの任意のセットのための任意の数の周波数を含み得、ＵＥロケーションに固有であり得る。ＵＥ７０２は、ＬＴＥ周波数が最高優先順位にあり、他のＲＡＴのための周波数がより低い優先順位にある優先順位リストを定義することによって、利用可能なときに、ＬＴＥを選好するように構成され得る。
【００４８】
[0072]  一例では、ＵＥ７０２は、ＬＴＥネットワークからパケット交換（ＰＳ）データサービスを受信することが可能であり得、アイドルモードにある間にＬＴＥネットワークにキャンプオンし得る。ＵＥ７０２は、別のＲＡＴの別のワイヤレスネットワークに移動しようと試み得る。たとえば、ＵＥ７０２は、ボイス呼を開始または受信するために回線交換（ＣＳ）フォールバックを開始し得る。ＣＳフォールバックは、ＵＥ７０２によって実行されるＩＲＡＴリダイレクションまたはハンドオーバによって達成され得る。たとえば、ＵＥ７０２は、１ｘＲＴＴ、Ｗ−ＣＤＭＡ、ＧＳＭ、または他のＲＡＴなど、音声サービスをサポートするＲＡＴを再選択し得る。ＬＴＥサービスが失われた場合、詳細には、ＵＥ７０２が通信システムのカバレージエリア中を物理的に移動するとき、ＵＥ７０２は、ＬＴＥネットワークから別のネットワークに移動し得る。
【００４９】
[0073]  モビリティ管理（ＭＭ：Mobility management）機能は、ＵＥ７０２モビリティをサポートするために与えられ得、たとえば、非アクセス層（ＮＡＳ：non-access stratum）シグナリングおよびセキュリティ、３ＧＰＰアクセスネットワーク間のモビリティのためのコアネットワークノード間のシグナリング、パケットデータネットワークゲートウェイ（Ｐ−ＧＷ）およびサービングゲートウェイ（Ｓ−ＧＷ）選択、ハンドオーバのためのＳＧＳＮ選択、ならびにローミングおよび認証を含む。ＵＥ７０２は、ＳＧＳＮ７２２とＭＭＥ７０６の両方からの有効なＭＭパラメータ、および／またはＵＥ７０２とコアネットワークとの間のシグナリングを処理する別の制御ノードを有し得る。ＭＭＥ７０６は、ＥＰＳにビジターロケーションレジスタ（ＶＬＲ）を与え得る。たとえば、「次の更新において使用される一時的識別情報」（ＴＩＮ：Temporary Identity used in Next update）は、次のＲＡＵ要求、ＴＡＵ要求またはアタッチ要求メッセージにおいて使用されるＵＥ７０２の識別情報を識別することができる、ＵＥ７０２のＭＭコンテキストのパラメータであり得る。
【００５０】
[0074]  １ｘＣＳフォールバック（１ｘＣＳＦＢ）の一例について、図７および図８を参照しながら説明する。本例では、ＵＥ７０２は、複数の３ＧＰＰ２オペレータネットワーク８０４、８０６、および８０８によって共有されるＬＴＥ  ＲＡＮ８０２に接続され得る。ネットワーク８０４、８０６、および８０８は、ＬＴＥ  ＲＡＮ８０２中の無線ネットワーク要素８４４、８４６、および８４８ならびに無線リソースを共有し得る。１ｘＣＳＦＢは、ＧＷＣＮ８２０を使用する共有ネットワーク８０４、８０６、および８０８のうちの２つ以上によってサポートされ得、それにより、発展型パケットコアネットワーク要素ＭＭＥ７０６が、ＬＴＥ  ＲＡＮ８０２に加えて共有される。１ｘＣＳＦＢは、ＭＯＣＮ８００を使用する共有ネットワーク８０４、８０６、および８０８のうちの２つ以上によってサポートされ得、それにより、ＬＴＥ  ＲＡＮ８０２のみが共有される。
【００５１】
[0075]  図８に示す例では、ＵＥ７０２は、複数の候補１ｘネットワーク８０４、８０６、および８０８を含むＬＴＥにキャンプオンされ得る。最適１ｘネットワーク８０４、８０６、または８０８がＵＥ７０２のために選択され得、ＵＥ７０２は、ＣＳサービスのために選択された１ｘネットワークに（ＵＥ７０２’として）登録し得る。１ｘＣＳＦＢが必要とされるとき、ｅＮＢ８０４は、登録された１ｘネットワーク８０４、８０６、または８０８の基地局７１４にＵＥ７０２をダイレクトし得る。
【００５２】
[0076]  いくつかの実施形態では、ネットワークは、ＵＥ７０２のために１ｘネットワーク８０４、８０６、または８０８を選択する。図９は、ｅＮＢ８０４が、ネットワークによって選択された１ｘネットワーク８０４、８０６、または８０８を登録するようにＵＥ７０２に指示する、ＬＴＥ  ＲＡＮ８０２における１ｘＣＳＦＢの一例に関係するコールフロー図９００である。登録は、ＩＷＳ７０８を使用して達成され得る。９０２において、ＵＥ７０２が１つまたは複数のシステム情報ブロック（ＳＩＢ）を受信する。ＳＩＢは、複数のＣＤＭＡネットワーク、たとえば、ＣＤＭＡ２０００  １ｘネットワークのための複数のＰＬＭＮ  ＩＤを含むＳＩＢ１を備え得る。ＳＩＢ１は、たとえば、ＣＤＭＡ２０００オペレータのためのＰＬＭＮ  ＩＤとともに、ＬＴＥオペレータのＰＬＭＮ  ＩＤをも含み得る。ＵＥはまた、ＰＬＭＮインデックスとＣＤＭＡ２０００ネットワークのためのパラメータとを含むＳＩＢ８を受信し得る。たとえば、ＳＩＢ８は、１ｘネットワークのための１ｘパラメータを含み得る。したがって、ＳＩＢ８は、たとえば、｛ＰＬＭＮインデックス、１ｘＲＴＴパラメータ（随意）、ＨＲＰＤパラメータ（随意）｝のシーケンスであり得る。ＵＥ７０２は、ＳＩＢ１中で与えられたＰＬＭＮリストからＰＬＭＮ  ＩＤを選択し得る。ＵＥ７０２およびネットワークは、システム識別番号（ＳＩＤ：system identification number）および／またはネットワーク識別番号（ＮＩＤ：network identification number）と、１ｘネットワークのＰＬＭＮ  ＩＤとの間のマッピングを維持し得る。
【００５３】
[0077]  ＲＲＣ接続を確立するために、９０４において、ＵＥ７０２はＲＲＣ接続要求をｅＮＢ８０４に送り、９０６において、応答して、ｅＮＢ８０４は対応するＲＲＣ接続セットアップをＵＥ７０２に送る。完了したとき、９０８において、ＵＥ７０２はｅＮＢ８０４にＲＲＣ接続セットアップ完了を送る。セットアップ完了メッセージは、選択されたＰＬＭＮ  ＩＤと、登録されたＭＭＥ７０６の識別情報と、アタッチおよび／またはトラッキングエリア更新（ＴＡＵ）要求とを含み得る。ＵＥ７０２によって選択されたＰＬＭＮ  ＩＤと、識別された登録されたＭＭＥ７０６とに基づいて、ｅＮＢ８０４は、１ｘネットワークのためのＭＭＥを選択し得る。
【００５４】
[0078]  ９１０において、ｅＮＢ８０４は、選択されたＭＭＥ７０６に初期ＵＥメッセージを送る。初期ＵＥメッセージは、選択されたＰＬＭＮ  ＩＤ、接続要求および／またはＴＡＵ要求を備え得る。ＵＥ７０２能力情報要素（ＩＥ）は、ＵＥ７０２についての複数オペレータ１ｘＣＳＦＢ能力を示し得る。
【００５５】
[0079]  ９１２において、ＭＭＥ７０６はアタッチ／ＴＡＵプロシージャを初期コンテキストセットアップまで進める。サブスクリプションデータフェッチおよび認証が実行され得る。ＵＥ７０２とネットワークの両方が複数オペレータ１ｘＣＳＦＢをサポートしている場合、ＭＭＥ７０６は、ＵＥ７０２によって選択されたＰＬＭＮ  ＩＤ、サービングトラッキングエリア、ＵＥ７０２のホームオペレータ、訪問ネットワークポリシー、各１ｘネットワークの負荷、以前のＰＬＭＮ、およびホームオペレータのポリシーとのうちの１つまたは複数を考慮に入れて、ＵＥ７０２のための１ｘネットワークを選択し得る。非ローミングＵＥ７０２の場合、ホームオペレータ１ｘネットワークが、一般に、選好として選択される。ローミングＵＥ７０２の場合、訪問ネットワークのポリシーおよびホームオペレータのポリシーが、１つまたは複数のＭＭＥ７０６中で維持され得る。また、ドメインネームサーバ（ＤＮＳ）が、サブスクリプションデータを記憶するために使用され得る。たとえば、国際モバイル加入者識別情報（ＩＭＳＩ：international mobile subscriber identity）、またはその一部、およびトラッキングエリア識別情報（ＴＡＩ：tracking area identity）が、ＤＮＳまたはＭＭＥ７０６ローカル構成データベースへの入力として、ＵＥ７０２のための１つまたは複数の好適な１ｘネットワークを照会するために使用され得る。
【００５６】
[0080]  １ｘネットワークが選択された後、ＭＭＥ７０６は、選択された１ｘネットワークをＵＥ７０２コンテキストで記憶し得、選択された１ｘネットワークとアタッチ／ＴＡＵ受付けとともに、初期コンテキストセットアップをｅＮＢ８０４に送信し得る。選択された１ｘネットワーク情報は、このメッセージのロケーションエリア識別情報（ＬＡＩ：location area identification）ＩＥ中に含まれ得る。
【００５７】
[0081]  選択された１ｘネットワークがＵＥ７０２コンテキストですでに記憶されていたとき、ＭＭＥ７０６は、（たとえば追加の更新タイプＩＥ中の）１ｘネットワーク再選択インジケータと（たとえばＳ１ＡＰ初期ＵＥメッセージ中の）異なる選択されたＰＬＭＮ  ＩＤとともにＴＡＵを受信し得る。この場合、ＭＭＥ７０６は、一般に、以前に選択された１ｘネットワークが時間的に利用不可能である、または１ｘネットワーク登録が失敗したと仮定する。次いで、ＭＭＥ７０６は、ＵＥコンテキストで識別された１ｘネットワーク以外の異なる１ｘネットワークを選択し得る。
【００５８】
[0082]  ９１４において、ＵＥ７０２は、アタッチ／ＴＡＵのプロセスを進め、信号無線ベアラ（ＳＲＢ：signal radio bearer）ＳＲＢ２とデータ無線ベアラ（ＤＲＢ：data radio bearer）とを確立する。ステップ９１６において、ｅＮＢ８０４は、ＭＭＥ７０６に初期コンテキストセットアップ応答メッセージを送る。一方、９１８において、ＵＥ７０２は、ＣＤＭ２０００ネットワークのためのＣＳＦＢパラメータ要求を送る。９２０において、ｅＮＢ８０４は、ＵＥ７０２にＭＭＥ選択１ｘネットワークのパラメータを返す。このステップにおいて、ＭＭＥ７０６は、メッセージ９１２中で通信された状況に基づいて１ｘネットワークの選択を変更していることがあるので、ＵＥ７０２は、相互作用すべき１ｘネットワークを知っている。
【００５９】
[0083]  次いで、ＵＥは、１ｘＲＴＴに登録することを決定し、選択されたＰＬＭＮに対応するＳＩＢ８パラメータを使用し得る。次いで、９２２において、ＵＥ７０２は、ＵＬ情報転送、たとえば、１ｘ登録メッセージをｅＮＢ６１０に送ることによって、ＭＭＥ選択された１ｘネットワークにおける登録を開始する。９２４において、ｅＮＢは、ＵＬ  ＣＤＭＡ２０００トンネリング、たとえば、１ｘ登録メッセージ、ＣＤＭＡ２０００参照セルＩＤをＭＭＥに送る。ＣＤＭＡ参照セルＩＤは、たとえば、ＵＥ選択ＰＬＭＮに基づいて構成され得る。次いで、ＭＭＥ７０６は、ＵＥ７０２のための１ｘ相互作用ソリューション（ＩＷＳ：interworking solution）７０８を選択し得る。この選択は、たとえば、ＣＤＭＡ２０００参照セルＩＤに基づき得る。次いで、ＭＭＥは、たとえば、Ｓ１０２トンネルを介して、選択された１ｘＣＳ−ＩＷＦに１ｘ登録メッセージを転送する。次いで、メッセージ９２６、９２８、９３０、９３４および９３６を使用して登録が完了され得る。
【００６０】
[0084]  登録が正常に完了された（９２６、９２８、９３０、９３４および９３６）後、ＵＥ７０２は、選択された１ｘネットワークに関するＳＩＢ８中の１ｘネットワークパラメータを監視し得る。
【００６１】
[0085]  ＨＲＰＤのためのネットワーク選択および事前登録プロシージャは、図９に１ｘＣＳＦＢについて示したネットワーク選択および事前登録プロシージャと同様である。ＨＲＰＤネットワーク選択および事前登録の場合、ＵＥは、選択されたＰＬＭＮ  ＩＤに関連するＨＲＰＤネットワークのパラメータを、たとえば、ＳＩＢ８から導出する。事前登録において、ｅＮＢは、ＭＭＥ７０６がＨＲＰＤアクセスノードを選択するために、ＭＭＥ７０６にセクタＩＤを報告する。
【００６２】
[0086]  したがって、各ＣＤＭＡ２０００オペレータは一意のＰＬＭＮ  ＩＤに割り当てられる／関連付けられる。ｅＮＢは、各ＣＤＭＡ２０００オペレータのＰＬＭＮをＳＩＢ１中でブロードキャストする。ＳＩＢ８は、複数のＣＤＭＡ２０００ネットワークのパラメータを含むように拡張される。各ＣＤＭＡ２０００オペレータのパラメータは、ＳＩＢ８中の関連するＰＬＭＮのインデックスから開始する。後方互換性のために、ＳＩＢ８は、レガシーＵＥがＳＩＢ８中のデフォルトの１ｘネットワークを読み取ることができる方法で拡張され得る。
【００６３】
[0087]  ＵＥは、たとえば、３ＧＰＰ  ＴＳ２３．１２２に従って、通常のＰＬＭＮ選択を実行し得る。たとえば、３ＧＰＰでは、ネットワーク選択は、汎用加入者識別モジュール（ＵＳＩＭ：universal subscriber identity module）に基づくＰＬＭＮ選択によって達成され得る。ＵＳＩＭは、たとえば、ＵＥのホームパブリックランドモバイルネットワーク（ＨＰＬＭＮ：home public land mobile network）、等価ホームパブリックランドモバイルネットワーク（ＥＨＰＬＭＮ：equivalent home public land mobile network）、オペレータ好適ＰＬＭＮリスト、およびＵＥ好適ＰＬＭＮリストを記憶し得る。それのホームＣＤＭＡ２０００ネットワークに対応するＰＬＭＮ  ＩＤは、ＵＳＩＭ中でＨＰＬＭＮまたはＥＨＰＬＭＮとして構成され得る。ＵＳＩＭ中のオペレータパブリックランドモバイルネットワーク（ＯＰＬＭＮ：operator public land mobile network）は、ローミングのためのホームオペレータ好適ＣＤＭＡ２０００オペレータのＰＬＭＮリストを記憶し得る。ＵＳＩＭ中のネットワーク選好情報は、好適ローミングリスト（ＰＲＬ：preferred roaming list）中のネットワーク選好情報に一致し得る。ＣＤＭＡ２０００ネットワーク選択はＰＲＬに基づき、ＰＲＬは各場所にホームオペレータ好適ＣＤＭＡ２０００を記憶し得る。この好適ローミングＣＤＭＡ２０００ネットワーク情報は、ＵＳＩＭ中のＯＰＬＭＮと同様であり得る。ＳＩＢ８におけるＣＤＭＡ２０００ネットワークＩＤとＰＬＭＮ ＩＤとのマッピングの場合、ＵＳＩＭのＯＰＬＭＮおよびＨＰＬＭＮ／ＥＨＰＬＭＮは、ネットワーク選択のためのＰＲＬとして等価情報を記憶することができる。したがって、ＵＳＩＭは、ＰＲＬ中のＣＤＭＡ２０００ネットワーク選好情報に等価であるＰＬＭＮ選好情報を記憶することができる。ＣＤＭＡ２０００オペレータとＰＬＭＮ  ＩＤとの間の一意のマッピング、および等価情報をプロビジョニングされたＵＳＩＭとＰＲＬとの一意のマッピングの場合、ＰＬＭＮ選択プロシージャが、ＣＤＭＡ２０００ネットワークを選択するために使用され得る。したがって、ＵＳＩＭベースのＰＬＭＮ選択は、ＰＲＬベースのＣＤＭＡ２０００ネットワーク選択と同様に達成し得る。
【００６４】
[0088]  図９に、成功した登録シナリオを示す。場合によっては、登録は失敗することがある。ＬＴＥ  ＲＡＮ共有シナリオの場合、１ｘネットワーク再選択のために、登録の失敗についてＭＭＥに通知する方が良いことがある。しかしながら、ＭＭＥ７０６は、一般に、Ａ２１ペイロードを検討しない。ＭＭＥ７０６に１ｘ登録失敗を明示的に通知するために、１ｘ登録拒否命令を含んでいるＡ２１メッセージは、「登録失敗」を示すステータスコードを有し得る。１ｘネットワーク登録が失敗したときは、異なるＰＬＭＮ  ＩＤを用いてＴＡＵが使用され得る。
【００６５】
[0089]  いくつかの実施形態では、モバイル発信および着信のための呼処理は、ＭＭＥ７０６が、Ｓ１ＡＰ初期コンテキストセットアップまたは変更コンテキスト要求中で、選択された１ｘネットワークをｅＮＢ８０４に示すことを除いて、通常の１ｘＣＳＦＢの場合と同様である。
【００６６】
[0090]  レガシーＵＥは、デフォルトＣＤＭＡ２０００オペレータのパラメータのみを理解し得る。したがって、ｅＮＢは、たとえばＣＤＭＡ２０００参照セルＩＤ選択において、そのようなレガシーＵＥを別様に扱い得る。ＵＥが複数のＣＤＭＡ２０００オペレータとの相互作用をサポートするかどうかをｅＮＢが知るための２つのオプションがある。第１に、新しい能力ビットがＵＥ無線能力に追加され得る。第２に、１ｘＣＳＦＢ対応Ｒ１１ＵＥが、複数のＣＤＭＡ２０００オペレータとの相互作用をサポートするように規定され得る。
【００６７】
[0091]  いくつかの態様では、ネットワークは、相互作用すべき１ｘネットワークを選択せず、ＵＥ７０２が、ネットワークによって与えられた情報に基づいて、どの１ｘネットワーク８０４、８０６、または８０８が選択されるべきかを決定し得る。図１０は、ＵＥ７０２が１ｘネットワーク８０４、８０６、または８０８を選択する、ＬＴＥ  ＲＡＮ８０２における登録プロセスの例に関係するコールフロー図１０００である。図１０に示された１ｘ登録プロシージャでは、ネットワークエンティティが１ｘネットワーク情報をＵＥ７０２コンテキストとして記憶しないことがある。図１１は、ＵＥ７０２が１ｘネットワーク８０４、８０６、または８０８を選択し、ネットワークエンティティが１ｘネットワーク情報をＵＥ７０２コンテキストとして記憶する、ＬＴＥ  ＲＡＮ８０２における登録プロセスの例に関係するコールフロー図１１００である。図１２は、ネットワークエンティティが１ｘネットワーク情報をＵＥ７０２コンテキストとして記憶しないとき（図１０参照）のモバイル発信プロシージャの例に関係するコールフロー図１２００である。
【００６８】
[0092]  図１０に示された登録プロセスでは、１００２においてｅＮＢ７０４によって与えられるＳＩＢ８は、１ｘネットワークパラメータの複数のセットを含み得る。ＳＩＢ８は、一般に、各１ｘネットワークのための１ｘネットワークＩＤを含む。１ｘネットワークＩＤは、ＳＩＤ／ＮＩＤペアなどの実際の１ｘネットワークＩＤ、または１ｘネットワークを識別するためにＬＴＥ発展型パケットコア（ＬＴＥ／ＥＰＣ）内でのみ使用される新しいＩＤであり得る。
【００６９】
[0093]  １００４において、ＵＥ７０２は、ＳＩＢ８情報のコンテンツに基づいて、アタッチされたＬＴＥネットワークが１ｘ相互作用のための複数の１ｘネットワークをサポートすると判断する。ＵＥ７０２は、ＳＩＢ８中で与えられた１ｘネットワークのリストから相互作用すべき１ｘネットワークを選択し得る。選択は、好適ローミングリスト（ＰＲＬ）など、ＵＥ７０２中の事前プロビジョニングされた情報に基づき得る。
【００７０】
[0094]  １００６において、ＲＲＣ接続セットアップ、アタッチおよびＴＡＵプロシージャを実行する。いくつかの実施形態では、ＭＭＥ７０６は複数の１ｘネットワークの間で共有されず、ＭＯＣＮ様のアーキテクチャが仮定され、それにより、ｅＮＢ８０４に１ｘネットワーク情報を与えることが必要であることがある。ｅＮＢ８０４は、通常使用される情報に加えて、１ｘネットワークＩＤに基づいてＭＭＥ７０６を選択し得る。
【００７１】
[0095]  １００８において、ＵＥ７０２は、ｅＮＢ８０４からＣＤＭＡ２０００パラメータを取得するためにＣＤＭＡ２０００−ＣＳＦＢＰａｒａｍｅｔｅｒＲｅｑｕｅｓｔメッセージを送る。このメッセージは、相互作用のために選択された１ｘネットワークのための正確なＣＤＭＡ２０００パラメータをｅＮＢ８０４が選定することを可能にするために、相互作用のためのネットワークを識別するのに必要な１ｘネットワーク情報を含んでいることがある。したがって、１０１０において、ｅＮＢ８０４は、１ｘネットワークＩＤに基づいて選定されたＣＤＭＡパラメータを与える。
【００７２】
[0096]  １０１２において、ＵＥ７０２は、１ｘネットワークＩＤとともに、ＵＬ情報転送中にカプセル化された１ｘ登録メッセージを送る。１０１４において、ｅＮＢ８０４は、１ｘネットワークＩＤとともに、アップリンクＣＤＭＡ２０００トンネリングメッセージ中にカプセル化された１ｘ登録メッセージをＭＭＥ７０６に送る。１ｘネットワークＩＤは、メッセージ１０１２中で送られた受信されたＵＬ情報転送から取得され得る。
【００７３】
[0097]  １０１６において、ＭＭＥ７０６は、選択された示された１ｘネットワークＩＤに基づいてＩＷＳ７０８を選択する。本例では、ＩＷＳ７０８が選択される。ＭＭＥ７０６は、１ｘネットワークＩＤとＩＷＳ論理アドレスとの間でマッピングする情報を維持し得る。
【００７４】
[0098]  １０１８において、ＭＭＥ７０６は、選択されたＩＷＳ７０８にＡ２１−１ｘエアインターフェースシグナリング中で１ｘ登録メッセージを送る。ＩＷＳ７０８は、他のオペレータＩＷＳが存在するかどうかを知る必要がないので、１ｘネットワークＩＤは、一般に、この時点で必要とされない。
【００７５】
[0099]  交換器１０２２、１０２４、１０２６、および１０２８では、１ｘネットワーク登録受付け命令が、トンネルを使用してＩＷＳ７０８からＵＥ７０２に送られる。一般に、相互作用させられている１ｘネットワークを識別することは不要である。ＵＥ７０２が、１ｘネットワークメッセージを含んでいるアップリンクメッセージを送る必要がある場合、ＵＥ７０２は、相互作用のためのターゲットＩＷＳ７０８を識別するために１ｘネットワークＩＤを含み得る。
【００７６】
[00100]  初期登録が完了されたとき、ＵＥ７０２は、後続の相互作用プロセスのための１ｘネットワークＩＤを維持し得る。一般に、ＵＥ７０２は、選択された１ｘネットワークＩＤによって識別されたネットワークに関係するＳＩＢ８中の１ｘネットワークパラメータのみを監視する必要がある。
【００７７】
[00101]  次に図１１を参照しながら、ＵＥベースネットワーク選択が、ＵＥコンテキストにおいてある１ｘネットワーク情報を維持することを含む、１ｘネットワーク登録について説明する。
【００７８】
[00102]  メッセージ１１０２は、１ｘネットワークに関連する複数のＰＬＭＮに関係する情報を含み得るＳＩＢ１と、１ｘネットワークパラメータの複数のセットをも含み得るＳＩＢ８とを備える。
【００７９】
[00103]  １１０４において、ＵＥ７０２は、ＰＬＭＮ  ＩＤとＳＩＤ／ＮＩＤとの間の一致する情報を事前プロビジョニングしていることがある。ＳＩＢ１が複数の１ｘネットワークＰＬＭＮ  ＩＤを含むとき、ＵＥ７０２は、ＬＴＥネットワークが１ｘ相互作用のための複数の１ｘネットワークをサポートすると判断し得る。１ｘネットワークの選択は、たとえば好適ローミングリスト（ＰＲＬ）を含む、ＵＥ７０２において事前プロビジョニングされた情報に基づいて行われ得る。
【００８０】
[00104]  １１０６において、ＲＲＣ接続セットアップおよびアタッチ／ＴＡＵプロシージャを実行する。ＵＥ７０２は、１ｘネットワークのための選択されたＰＬＭＮ  ＩＤをＲＲＣ接続セットアップ完了メッセージ中で送り得る。１ｘネットワークのための選択されたＰＬＭＮ  ＩＤは、ＭＭＥ７０６に搬送され、ＵＥ７０２コンテキストの一部としてＭＭＥ７０６に記憶され得る。ｅＮＢ８０４も、選択されたＰＬＭＮ  ＩＤを維持し得る。ＭＭＥ７０６が複数の１ｘネットワークの間で共有されないとき、ｅＮＢ８０４は、そのような選択のために使用される他の情報に加えて、ＵＥ選択ＰＬＭＮ  ＩＤに基づいてＭＭＥ７０６を選択し得る。
【００８１】
[00105]  １１０８において、ＵＥ７０２は、ｅＮＢ８０４にＣＤＭＡ２０００−ＣＳＦＢＰａｒａｍｅｔｅｒＲｅｑｕｅｓｔメッセージを送る。１ｘネットワークが相互作用するための正確なＣＤＭＡ２０００パラメータを選定するために、ｅＮＢ８０４は、ＰＬＭＮ  ＩＤとＳＩＤ／ＮＩＤとを一致させる情報を事前プロビジョニングしていることもある。
【００８２】
[00106]  １１１０において、ｅＮＢ８０４は、ＵＥ７０２によって選定されたＰＬＭＮ  ＩＤに対応するＳＩＤ／ＮＩＤを含んでいるＣＤＭＡ２０００パラメータを与える。
【００８３】
[00107]  １１１２において、ＵＥ７０２は、ＵＬ情報転送中にカプセル化された１ｘ登録メッセージをｅＮＢ８０４に送る。
【００８４】
[00108]  １１１４において、ｅＮＢ８０４は、１ｘネットワークＩＤとともに、アップリンクＣＤＭＡ２０００トンネリングメッセージ中にカプセル化された１ｘ登録メッセージをＭＭＥ７０６に送る。ＭＭＥ７０６は、ステップ１１０６の間に取得されたＰＬＭＮ  ＩＤに基づいて、ＩＷＳ７０８または７０８’を選択し得、ここでは、ＩＷＳ７０８が選択される。いくつかの実施形態では、ＭＭＥ７０６は、この時点でＰＬＭＮを変更せず、ＵＥ７０２によって行われた選択に従う。したがって、ＭＭＥ７０６は、ＵＥ７０２のための好適な１ｘネットワーク情報を取得または事前プロビジョニングする必要がない。
【００８５】
[00109]  １１１８において、ＭＭＥ７０６は、Ａ２１−１ｘエアインターフェースシグナリング中で１ｘ登録メッセージを選択されたＩＷＳ７０８に送る。ＩＷＳ７０８は、別のオペレータＩＷＳ７０８が存在するかどうかを知る必要がないので、１ｘネットワークＩＤは一般に必要とされない。
【００８６】
[00110]  交換器１１２２、１１２４、１１２６、および１１２８では、１ｘ登録受付け命令が、トンネルを使用してＩＷＳ７０８からＵＥ７０２に送られる。一般に、相互作用させられている１ｘネットワークを識別することは不要である。
【００８７】
[00111]  初期登録の完了時に、ＵＥ７０２は、選択されたＰＬＭＮ  ＩＤに対応するＳＩＤ／ＮＩＤを維持し得る。ＵＥ７０２は、選択されたＳＩＤ／ＮＩＤに一致するＳＩＤ／ＮＩＤペアを含むＳＩＢ８中の１ｘネットワークパラメータのみを監視し得る。
【００８８】
[00112]  いくつかの実施形態では、モバイル発信および着信のための呼処理は、通常の１ｘＣＳＦＢと同じであり得る。
【００８９】
[00113]  次に図１２を参照しながら、ＵＥベースのネットワーク選択に基づくモバイル発信プロシージャについて説明する。１２０２において、ＵＥ７０２は、ＬＴＥ  ＲＡＮを共有する１ｘネットワークのうちの１つに登録している。ＵＥ７０２は、後続のシグナリングのために１ｘネットワークＩＤを維持し得る。
【００９０】
[00114]  １２０４において、モバイル発信呼をトリガし、１２０６において、ＵＥ７０２およびｅＮＢ８０４はＲＡＣＨプロシージャを実行する。
【００９１】
[00115]  １２０８において、ＵＥ７０２はＲＲＣ接続要求を送り、１２１０において、ｅＮＢ８０４はＲＲＣ接続セットアップを返す。ＵＥ７０２は、次いで、１ｘＣＳＦＢを示し、相互作用のための１ｘネットワークＩＤを与える拡張サービス要求とともに、ＲＲＣ接続セットアップ完了メッセージ１２１２を送り得る。ＭＯＣＮ様のアーキテクチャが使用される場合、ｅＮＢ８０４が適切なＭＭＥ７０６を選択することができるように、ＲＲＣメッセージは１ｘネットワークＩＤを含み得る。図示された例では、ＥＳＲは１ｘネットワークＩＤを含む。
【００９２】
[00116]  １２１４において、ｅＮＢ８０４は、１ｘネットワークＩＤとともに拡張サービス要求を含んでいる初期ＵＥ７０２メッセージを送る。ＭＭＥ７０６は、１ｘネットワークＩＤとともに初期コンテキストセットアップ要求メッセージを送る。１ｘネットワークＩＤは、ｅＮＢ８０４が適切な測定対象を構成し、ＣＤＭＡ２０００パラメータを選択するために必要とされる。ｅＮＢ８０４はセキュリティモードコマンドを送り得る。
【００９３】
[00117]  １２１６において、ｅＮＢ８０４は、選択された１ｘネットワークＩＤによって識別された１ｘネットワークについての測定対象を構成する。いくつかの実施形態では、リダイレクションベースの１ｘＣＳＦＢが常に使用され、測定対象が構成される必要がない。１２１８において、ｅＮＢ８０４は、ＣＤＭＡ２０００測定対象とともにＲＲＣ接続再構成を送る。
【００９４】
[00118]  １２２０において、ＵＥ７０２はセキュリティモード完了を送り、１２２２において、ＵＥ７０２はＲＲＣ接続再構成完了を送る。
【００９５】
[00119]  １２２４において、ｅＮＢ８０４は初期コンテキストセットアップを送る。
【００９６】
[00120]  １２２６において、ＵＥ７０２は、１ｘネットワーク測定を実行し、１２２８において、測定報告を与える。リダイレクションが使用される場合、ｅＮＢ８０４は、１２３０において、リダイレクション情報とともにＲＲＣ接続解放を送る。
【００９７】
[00121]  ＨＯベースの１ｘＣＳＦＢが使用される場合、１２３２において、ＥＵＴＲＡからのＨＯ準備要求を送る。このメッセージは、一般に、１ｘネットワークＩＤに基づいて選定されたＲＡＮＤ値とＣＤＭＡ２０００パラメータとを含む。次いで、１２３４において、１ｘネットワークトラフィックチャネル割当てをトンネル上で実行する。１２３６において、ＳＧＷ中断制御を実行する。モバイル着信プロシージャの場合、ネットワークは１ｘネットワークページメッセージを送り、ＥＳＲプロシージャをトリガする。ＥＳＲがトリガされた後、呼セットアッププロシージャのための基本はモバイル発信と同様であり得る。
【００９８】
[00122]  いくつかの実施形態は、それによってＳＩＢ８がワイルドカードＣＤＭＡ２０００パラメータを含む手法を採用する。ＳＩＢ８は、各１ｘネットワークのためのパラメータを与えないことがあり、レガシーＵＥ７０２をサポートするためのデフォルトネットワークのためのパラメータを含むことがある。実際のＣＤＭＡパラメータおよび１ｘネットワーク識別子は、ＣＤＭＡ２０００−ＣＳＦＢＰａｒａｍｅｔｅｒＲｅｓｐｏｎｓｅを送ることによって取得され得る。１ｘネットワークの選択はネットワークによって実行され得る。ＵＥ７０２は、ワイルドカードＣＤＭＡ２０００パラメータが変更されたときに１ｘネットワーク登録をトリガし得る。
【００９９】
[00123]  図１３は、ワイヤレス通信の方法のフローチャート１３００を含む。本方法はＵＥ７０２によって実行され得る。ステップ１３０２において、ＵＥ７０２は、ＬＴＥ  ＲＡＮに接続されている間、複数のＣＤＭＡ２０００ネットワークについてのネットワーク情報を受信する。ネットワーク情報はＳＩＢ中で受信される。ネットワーク情報はデフォルトネットワークに対応し得る。いくつかの実施形態では、ネットワーク情報は複数のＰＬＭＮ  ＩＤを備える。各ＰＬＭＮ  ＩＤは、ＬＴＥ  ＲＡＮを共有するＣＤＭＡ２０００ネットワークに関連し得る。ＣＤＭＡ２０００ネットワークは、たとえば、ＣＤＭＡ２０００  １ｘネットワークおよび／またはＨＲＰＤネットワークを備え得る。
【０１００】
[00124]  ステップ１３０４において、ＵＥ７０２は、ＣＳＦＢプロシージャが必要とされるかどうかを判断する。
【０１０１】
[00125]  ステップ１３０６において、ＣＳＦＢプロシージャが実行されるべきである場合、ＵＥ７０２は、ＣＳＦＢのためのＣＤＭＡ２０００ネットワークを識別または選択する。ＣＤＭＡ２０００ネットワークを選択することは、複数のＰＬＭＮ  ＩＤのうちの１つを選択することを含み得る。
【０１０２】
[00126]  ステップ１３０８において、ＵＥ７０２は、選択されたＣＤＭＡ２０００ネットワーク上で１つまたは複数のＣＳＦＢプロシージャを実行する。ＣＳＦＢプロシージャは、ＲＲＣ接続メッセージを送ることを備え得る。ＲＲＣメッセージは、要求を備え得、選択されたＰＬＭＮ  ＩＤを含み得る。ＣＳＦＢプロシージャは、選択されたＰＬＭＮ  ＩＤを含むＲＲＣ接続セットアップ完了メッセージを送ることを備え得る。ＣＳＦＢプロシージャは、ＲＲＣ接続セットアップ完了メッセージを送ることの後に、ＣＳＦＢのために選択されたＣＤＭＡ２０００ネットワークのためのネットワークパラメータを要求することを備え得る。ＣＳＦＢプロシージャは、複数のＣＳＦＢ関係アップリンクメッセージを送ることを備え、ＣＳＦＢ関係アップリンクメッセージの各々は選択されたＰＬＭＮ  ＩＤを含み得る。
【０１０３】
[00127]  いくつかの実施形態では、ＵＥ７０２は、複数のＰＬＭＮ  ＩＤのマッピングを維持し得る。マッピングは、各ＰＬＭＮ  ＩＤを、選択された１ｘネットワークに対応するＳＩＤとＮＩＤとのうちの１つまたは複数にマッピングし得る。
【０１０４】
[00128]  図１４は、例示的な装置１４０２中の異なるモジュール／手段／構成要素間のデータフローを示す概念データフロー図１４００である。本装置はＵＥ７０２であり得る。本装置は、ＬＴＥ  ＲＡＮから複数のＣＤＭＡ２０００ネットワークについてのネットワーク情報を含む情報を受信するモジュールであって、ネットワーク情報がＳＩＢ中で受信される、モジュール１４０４と、ＣＳＦＢのためのＣＤＭＡ２０００ネットワークを選択するモジュール１４０６と、選択されたＣＤＭＡ２０００ネットワーク上で実行されるＣＳＦＢプロシージャに関係するメッセージを含む、アップリンク要求に関係するメッセージを生成するモジュール１４０８と、１つまたは複数のパラメータ、ネットワーク情報およびマッピングを維持するモジュール１４１２と、基地局にメッセージを送信するモジュール１４１０とを含む。
【０１０５】
[00129]  本装置は、図１３の上述のフローチャート中のアルゴリズムのステップの各々を実行する追加のモジュールを含み得る。したがって、図１３の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１０６】
[00130]  図１５は、処理システム１５１４を採用する装置１４０２’のためのハードウェア実装形態の一例を示す図である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４によって表される１つまたは複数のプロセッサおよび／またはハードウェアモジュールと、モジュール１４０４、１４０６、１４０８、１４１０、１４１２と、コンピュータ可読媒体１５０６とを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【０１０７】
[00131]  処理システム１５１４はトランシーバ１５１０に結合され得る。トランシーバ１５１０は、１つまたは複数のアンテナ１５２０に結合される。トランシーバ１５１０は、伝送媒体を介して様々な他の装置と通信するための手段を与える。処理システム１５１４は、コンピュータ可読媒体１５０６に結合されたプロセッサ１５０４を含む。プロセッサ１５０４は、コンピュータ可読媒体１５０６に記憶されたソフトウェアの実行を含む一般的な処理を担当する。ソフトウェアは、プロセッサ１５０４によって実行されたとき、処理システム１５１４に、任意の特定の装置のための上記で説明した様々な機能を実行させる。コンピュータ可読媒体１５０６はまた、ソフトウェアを実行するときにプロセッサ１５０４によって操作されるデータを記憶するために使用され得る。処理システムは、モジュール１４０４、１４０６、１４０８、１４１０、および１４１２のうちの少なくとも１つをさらに含む。それらのモジュールは、プロセッサ１５０４中で動作するか、コンピュータ可読媒体１５０６中に常駐する／記憶されたソフトウェアモジュールであるか、プロセッサ１５０４に結合された１つまたは複数のハードウェアモジュールであるか、またはそれらの何らかの組合せであり得る。処理システム１５１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１０８】
[00132]  １つの構成では、ワイヤレス通信のための装置１４０２／１４０２’は、ＬＴＥ  ＲＡＮから複数のＣＤＭＡ２０００  １ｘネットワークについてのネットワーク情報を含む情報を受信するための手段であって、ネットワーク情報がＳＩＢ中で受信される、受信するための手段１４０４と、ＣＳＦＢのための１ｘネットワークを選択するための手段１４０６と、選択された１ｘネットワーク上で実行されるＣＳＦＢプロシージャに関係するメッセージを含む、アップリンク要求に関係するメッセージを生成するための手段１４０８と、１つまたは複数のパラメータ、ネットワーク情報およびマッピングを維持するための手段１４１２と、基地局にメッセージを送信するための手段１４１０とを含む。
【０１０９】
[00133]  説明された手段は複数のタスクを実行し得、それらのうちのいくつかは互いに関係し得る。たとえば、手段１４１２は、各ＰＬＭＮ  ＩＤをＳＩＤとＣＤＭＡ２０００ネットワークに対応するＮＩＤとのうちの１つまたは複数にマッピングする、複数のＰＬＭＮ  ＩＤのマッピングを維持し得る。別の例では、手段１４０６は、複数のＰＬＭＮ  ＩＤのうちの１つを選択し得る。別の例では、手段１４０８は、ＲＲＣ接続要求を送ることであって、ＲＲＣメッセージが選択されたＰＬＭＮ  ＩＤを含む、送ることによって、および／またはＲＲＣ接続セットアップ完了メッセージを送ることの後に、ＣＳＦＢのために選択されたＣＤＭＡ２０００ネットワークのためのネットワークパラメータを要求することによって、ＣＳＦＢプロシージャの実行を可能にし得る。
【０１１０】
[00134]  上述の手段は、上述の手段によって具陳される機能を実行するように構成された、装置１４０２、および／または装置１４０２’の処理システム１５１４の上述のモジュールのうちの１つまたは複数であり得る。上記で説明したように、処理システム１５１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【０１１１】
[00135]  図１６は、ワイヤレス通信の方法のフローチャート１６００を含む。本方法は、ＭＭＥ７０６および／またはｅＮＢ６１０によって実行され得る（図６参照）。ステップ１６０２において、ＥＮＢ６１０は、ＬＴＥ  ＲＡＮを含むネットワーク中の複数のＰＬＭＮ  ＩＤを判断する。各ＰＬＭＮ  ＩＤは、ＬＴＥ  ＲＡＮを共有するＣＤＭＡ２０００ネットワークに関連し得る。ＣＤＭＡ２０００ネットワークは、たとえば、ＣＤＭＡ２０００  １ｘネットワークおよび／またはＨＲＰＤネットワークを備え得る。
【０１１２】
[00136]  ステップ１６０４において、ｅＮＢ６１０は、ＬＴＥ  ＲＡＮ中で動作しているＵＥ７０２がＣＳＦＢを実行する必要があると判断する。
【０１１３】
[00137]  ステップ１６０６において、ＣＳＦＢが必要とされるとき、ＥＮＢ６１０は、ＵＥ７０２のＣＳＦＢのためのＣＤＭＡ２０００ネットワークを選択する。ＣＤＭＡ２０００ネットワークは、ＭＭＥ７０６によって選択され得る。ＰＬＭＮは、ＰＬＭＮ選択プロシージャを使用して選択され得る。ＰＬＭＮ選択プロシージャは、ＵＥ７０２が複数オペレータ能力を報告するときに実行され得る。
【０１１４】
[00138]  ステップ１６０８において、ＥＮＢ６１０は、選択されたＣＤＭＡ２０００ネットワーク上で１つまたは複数のＣＳＦＢプロシージャを実行するようにＵＥ７０２を構成する。ＵＥ７１０２を構成することは、選択されたＣＤＭＡ２０００ネットワークに関連するネットワーク情報をシステム情報ブロック中でブロードキャストすることを備え得る。ＵＥ７０２を構成することは、複数のＰＬＭＮ  ＩＤのうちの１つまたは複数をシステム情報ブロック中でブロードキャストすることを備え得る。
【０１１５】
[00139]  いくつかの実施形態では、ｅＮＢ６１０とＭＭＥ７０６とのうちの１つまたは複数が、選択されたＣＤＭＡ２０００ネットワークに関連するネットワーク情報を維持する。情報は、選択されたＣＤＭＡ２０００ネットワークに基づく測定構成を備え得る。１ｘネットワークは、選択されたＣＤＭＡ２０００ネットワークに関連するネットワーク情報に基づいて、ＣＳＦＢのために選択され得る。ＣＤＭＡ２０００ネットワークは、ＵＥ７０２によって与えられたＰＬＭＮ  ＩＤの指示と、ＵＥに対応するトラッキングエリアと、訪問ネットワークポリシーと、ＵＥ７０２に関連するホームオペレータポリシーとのうちの１つまたは複数に基づいて、ＣＳＦＢのために選択され得る。ホームオペレータポリシーはＭＭＥ７０６によって維持され得る。選択されたＣＤＭＡ２０００ネットワークに関連するネットワーク情報は、ＭＭＥ７０６またはｅＮＢ６１０によってＵＥ７０２に情報要素（ＩＥ）中で与えられ得る。選択されたＣＤＭＡ２０００ネットワークに関連するネットワーク情報は、ＵＥ７０２にＣＤＭＡ２０００パラメータ中で与えられ得る。
【０１１６】
[00140]  いくつかの実施形態では、ｅＮＢ５１０および／またはＭＭＥ７０６は、複数のＰＬＭＮ  ＩＤの各々をＳＩＤとＮＩＤとのうちの１つまたは複数に関連付ける、ＰＬＭＮ  ＩＤのマッピングを維持し得る。ＰＬＭＮ  ＩＤのマッピングは、ｅＮＢ５１０および／またはＭＭＥ７０６によって、ＵＥによって維持されたＰＬＭＮ  ＩＤの対応するマッピングと同期され得る。
【０１１７】
[00141]  図１７は、例示的な装置１７０２中の異なるモジュール／手段／構成要素間のデータフローを示す概念データフロー図１７００である。本装置は、ｅＮＢ５１０またはＭＭＥ７０６であり得る。本装置は、ＵＥ７０２から情報を受信するモジュール１７０４と、ＣＳＦＢのためのＣＤＭＡ２０００ネットワークを選択し、１ｘネットワークに関係するネットワーク情報を維持するモジュール１７０６と、選択されたＣＤＭＡ２０００ネットワーク上で実行されるＣＳＦＢプロシージャに関係するＵＥ７２０のための構成を生成し、与えるモジュール１６０８と、１つまたは複数のパラメータ、ネットワーク情報およびマッピングを維持するモジュール１７１２と、メッセージをＵＥ７０２に送信するモジュール１７１０とを含む。
【０１１８】
[00142]  本装置は、図１６の上述のフローチャート中のアルゴリズムのステップの各々を実行する追加のモジュールを含み得る。したがって、図１６の上述のフローチャート中の各ステップは、１つのモジュールによって実行され得、装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１９】
[00143]  図１８は、処理システム１８１４を採用する装置１７０２’のためのハードウェア実装形態の一例を示す図である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスおよびブリッジを含み得る。バス１８２４は、プロセッサ１８０４によって表される１つまたは複数のプロセッサおよび／またはハードウェアモジュールと、モジュール１７０４、１８０６、１７０８、１８１０、１７１２と、コンピュータ可読媒体１８０６とを含む様々な回路を互いにリンクする。バス１８２４はまた、タイミングソース、周辺機器、電圧調整器、および電力管理回路など、様々な他の回路をリンクし得るが、これらの回路は当技術分野においてよく知られており、したがって、これ以上説明しない。
【０１２０】
[00144]  処理システム１８１４はトランシーバ１８１０に結合され得る。トランシーバ１８１０は、１つまたは複数のアンテナ１８２０に結合される。トランシーバ１８１０は、伝送媒体を介して様々な他の装置と通信するための手段を与える。処理システム１８１４は、コンピュータ可読媒体１８０６に結合されたプロセッサ１８０４を含む。プロセッサ１８０４は、コンピュータ可読媒体１８０６に記憶されたソフトウェアの実行を含む一般的な処理を担当する。ソフトウェアは、プロセッサ１８０４によって実行されたとき、処理システム１８１４に、任意の特定の装置のための上記で説明した様々な機能を実行させる。コンピュータ可読媒体１８０６はまた、ソフトウェアを実行するときにプロセッサ１８０４によって操作されるデータを記憶するために使用され得る。処理システムは、モジュール１７０４、１７０６、１７０８、１７１０、および１７１２のうちの少なくとも１つをさらに含む。それらのモジュールは、プロセッサ１８０４中で動作するか、コンピュータ可読媒体１８０６中に常駐する／記憶されたソフトウェアモジュールであるか、プロセッサ１８０４に結合された１つまたは複数のハードウェアモジュールであるか、またはそれらの何らかの組合せであり得る。処理システム１８１４は、ｅＮＢ６１０またはＭＭＥ７０６の構成要素であり得、メモリ６７６および／またはＴＸプロセッサ６１６と、ＲＸプロセッサ６７０と、コントローラ／プロセッサ６７５とのうちの少なくとも１つを含み得る。
【０１２１】
[00145]  一構成では、ワイヤレス通信のための装置１７０２／１７０２’は、ＵＥ７０２から情報を受信するための手段１７０４と、ＣＳＦＢのためのＣＤＭＡ２０００ネットワークを選択し、ＣＤＭＡ２０００ネットワークに関係するネットワーク情報を維持するための手段１７０６と、選択されたＣＤＭＡ２０００ネットワーク上で実行されるＣＳＦＢプロシージャに関係するＵＥ７２０のための構成を生成し、与えるための手段１７０８と、１つまたは複数のパラメータ、ネットワーク情報およびマッピングを維持するための手段１７１２と、メッセージをＵＥ７０２に送信するための手段１７１０とを含む。
【０１２２】
[00146]  上述の手段は、上述の手段によって具陳される機能を実行するように構成された、装置１７０２、および／または装置１７０２’の処理システム１８１４の上述のモジュールのうちの１つまたは複数であり得る。上記で説明したように、処理システム１８１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【０１２３】
[00147]  図１９は、発展型ユニバーサル地上波無線アクセスネットワーク（Ｅ−ＵＴＲＡＮ）／発展型パケットコア（ＥＰＣ）システムと３ＧＰＰ２コアネットワークとの間の例示的なインターフェースを示す図１９００である。一例では、ＵＥ１９１０は、高速パケットデータ（ＨＲＰＤ）トランシーバ基地局（ＢＴＳ）１９２０を介して、高速パケットデータサービングゲートウェイ（ＨＳＧＷ：high rate packet data serving gateway）１９４０と拡張高速パケットデータアクセスネットワーク（ｅＡＮ：enhanced high rate packet data access network）／パケット制御機能（ＰＣＦ：packet control function）１９３０とへの無線アクセスを有し得る。ＵＥ１９１０はまた、Ｅ−ＵＴＲＡＮ１９５０への無線アクセスを有し得る。したがって、図１９に、ＵＥ１９１０が、ＬＴＥ無線アクセス技術および拡張高速パケットデータ（ｅＨＲＰＤ）無線アクセス技術からＥＰＣにどのようにアクセスするかについて説明する。
【０１２４】
[00148]  ＥＰＣは、ＬＴＥまたはｅＨＲＰＤワイヤレス通信システムのための共通コアネットワークである。共通コアネットワークは、ワイヤレス通信システムのための共通バックボーンインフラストラクチャとして働く。ＥＰＣは、モビリティ管理エンティティ（ＭＭＥ）１９６０、サービングゲートウェイ（ＳＧＷ）１９７０、パケットデータネットワーク（ＰＤＮ）ゲートウェイ１９８０、ホーム加入者サーバ（ＨＳＳ）１９９０、認証許可およびアカウンティングエンティティ（ＡＡＡ：authentication authorization and accounting entity）、アクセスネットワーク発見および選択機能（ＡＮＤＳＦ：access network discovery and selection function）、発展型パケットデータゲートウェイ（ｅＰＤＧ）などのエンティティのうちのいずれか１つを含み得る。
【０１２５】
[00149]  ＬＴＥネットワークは、２つ以上の高速パケットデータ（ＨＲＰＤ）ネットワークオペレータによって共有され得る。ＬＴＥネットワークは、ＨＲＰＤネットワークのフットプリントを示すパラメータを広告し得る。パラメータは、たとえば、事前登録ゾーンＩＤ（preregistration zone ID）またはＨＲＰＤカラーコードと呼ばれることがある。ＵＥが、あるＨＲＰＤサブネットから別のＨＲＰＤサブネットに移動するとき、ＵＥは、あるＨＲＰＤサブネットから他のＨＲＰＤサブネットにセッションを転送するためのセッション転送動作を実行し得る。ＵＥは、ユニキャストアクセス端末識別子（ＵＡＴＩ：unicast access terminal identifier）割当て要求メッセージをＬＴＥネットワークに送ることによって、セッション転送を要求し得る。
【０１２６】
[00150]  ＵＥは、ＬＴＥネットワークを監視するが、ＨＲＰＤネットワークを監視しないことがある。したがって、ＵＥがＨＲＰＤネットワークを直接監視しないにもかかわらず、ＨＲＰＤセッションセットアップまたはセッション転送動作をいつ実行すべきかをＵＥに示すための機構が必要とされる。セッション転送動作をセットアップするために、ＵＥは、ＬＴＥネットワークを介したＨＲＰＤネットワークとのトンネルを確立し、セッション転送動作を実行し得る。ＵＥがアイドルモード状態にある間、トンネルは確立されず、ＵＥはＨＲＰＤネットワークを監視しない。ＵＥがあるＨＲＰＤフットプリントから別のＨＲＰＤフットプリントに移動する際に、アイドル状態のＵＥが、セッション転送動作をいつ開始すべきかを知らされ得るように、ブロードキャストメッセージとして事前登録ゾーンＩＤ（またはＨＲＰＤカラーコード）が送信され得る。
【０１２７】
[00151]  ＨＲＰＤカラーコードは、ＨＲＰＤサブネットを示す実際のパラメータ、すなわち、サブネットＩＤの換算値である２４ビット値であり得る。サブネットＩＤは１２８ビット値であり得る。エアインターフェースリソースを節約するために、１２８ビットサブネットＩＤの代わりに２４ビットカラーコードが、ＨＲＰＤサブネットを示すためにＬＴＥネットワークによって送信される。
【０１２８】
[00152]  ２４ビットカラーコードは、特定のロケーション（たとえば、エリアまたは領域）に固有であり得る。したがって、ＵＥがあるエリアから別のエリアに移動するとき、２４ビット値はエリアに固有であり得るので、ＵＥは直ちにＨＲＰＤカラーコードが変化したかどうかを検出し、したがって、ＨＲＰＤサブネットが変化したかどうかを検出し、新しい１２８ビットサブネットＩＤを有する新しいＨＲＰＤサブネットに対してセッション転送動作を実行し得る。ＵＥは、新しい２４ビット値（新しいカラーコード値）を新しい１２８ビットサブネットＩＤと相関させ得る。
【０１２９】
[00153]  したがって、ＨＲＰＤサブネットが変化したかどうかを迅速に検出するために、ＵＥは、新たに受信したカラーコードを査定する。受信したカラーコードが前に受信したカラーコードから変化していた場合、ＵＥは、新しい１２８ビットサブネットＩＤ値を取得するためにセッション転送動作を開始する。ＵＥは、次いで、新しい１２８ビットサブネットＩＤ値を、受信された新しいカラーコードに関連付け得る。
【０１３０】
[00154]  一態様では、２つのＨＲＰＤネットワークが同じＬＴＥネットワーク上にオーバーレイされるとき、２つのＨＲＰＤフットプリントが存在する。したがって、ＬＴＥネットワークは、ＨＲＰＤカラーコード送信（ＨＲＰＤ事前登録ゾーンＩＤ送信）が第１のＨＲＰＤフットプリントに関係するのか、または第２のＨＲＰＤフットプリントに関係するのかをＵＥに示すことが可能でなければならない。これにより、第１のＨＲＰＤオペレータに接続されたＵＥが、第２のＨＲＰＤオペレータのフットプリントが変化したときに誤ったセッション転送動作を潜在的に実行することが防止される。
【０１３１】
[00155]  第１のＨＲＰＤオペレータと第２のＨＲＰＤオペレータとは協調されていないので、第１のＨＲＰＤオペレータのＨＲＰＤカラーコード（事前登録ゾーンＩＤ）が第２のＨＲＰＤオペレータのＨＲＰＤカラーコードと同じになることがある。たとえば、ＵＥ  Ａが、カラーコードＸに一致したサブネットＩＤ  ＡをもつＨＲＰＤオペレータＡに接続される。さらに、ＵＥ  Ｂが、同じくカラーコードＸに一致したサブネットＩＤ  ＢをもつＨＲＰＤオペレータＢに接続される。したがって、同じ値を有する両方のカラーコードが、ＬＴＥネットワークによって送信される（広告される）。ＨＲＰＤオペレータＡに接続されたＵＥ  Ａによってカラーコードが受信されるとき、ＵＥ  Ａは、ある時点において、カラーコードＸがカラーコードＹに変化したことを了解し得る。しかしながら、ＵＥ  Ａは、カラーコード変化がどちらのＨＲＰＤオペレータ（ＡまたはＢ）に適用されるのかを知らない。すなわち、ＵＥ  Ａは、サブネットＡが変化したのか、サブネットＢが変化したのかを知らず、したがって、ＵＥ  Ａが現在接続されているサブネット（ＨＲＰＤサブネットＡ）が変化していない場合でも、カラーコード変化に基づいてセッション転送動作を不適当に実行することがある。
【０１３２】
[00156]  ２４ビットＨＲＰＤカラーコード値は、ＨＲＰＤオペレータによって独立して管理され得る。したがって、異なるＨＲＰＤオペレータが同じ値を使用することを選定し得る。２４ビット値は、一意の１２８ビットＨＲＰＤサブネットＩＤ値とともに使用され得る。したがって、必要なものは、第１のＨＲＰＤオペレータの送信されたＨＲＰＤカラーコード（事前登録ゾーンＩＤ）が、第２のＨＲＰＤオペレータの送信されたＨＲＰＤカラーコード（事前登録ゾーンＩＤ）と同じ値を有するときに、同じＬＴＥネットワークを共有する第１のＨＲＰＤオペレータと第２のＨＲＰＤオペレータとを区別するための機構である。
【０１３３】
[00157]  一態様では、ＨＲＰＤカラーコードのための新しいフォーマットが定義され得る。ここで、ＬＴＥネットワークは、それぞれのＨＲＰＤオペレータのカラーコードが一意の識別子を有することをＨＲＰＤオペレータに要求し得る。一意の識別子は、ＵＥがあるＨＲＰＤオペレータを他のＨＲＰＤオペレータと区別することを可能にする。ＬＴＥオペレータは、カラーコードが重複しないことまたは同じ値を有しないことを確認するために、ＨＲＰＤオペレータと連携し得る。
【０１３４】
[00158]  たとえば、同じＬＴＥネットワークを共有する２つのＨＲＰＤオペレータが存在するとき、２４ビットカラーコードのうちの１ビットが、ＨＲＰＤオペレータを一意に識別するために予約され得る。したがって、予約済みビットを使用して、第１のＨＲＰＤオペレータは「０」によって識別され、第２のＨＲＰＤオペレータは「１」によって識別され得る。３つ以上のＨＲＰＤオペレータの識別情報に適応するために、追加のビットが予約され得る。したがって、一意の識別子は、２４ビットカラーコード中に埋め込まれたＸ個の最上位ビットを含み得、ただしＸは整数（たとえば、２）であり得る。代替として、２４ビットカラーコードを使用してＨＲＰＤオペレータを一意に識別するための標準フォーマットが定義され得る。たとえば、２４ビットカラーコードの一部分が、ＨＲＰＤオペレータを識別する１２ビットモバイルネットワークコード（ＭＮＣ）を埋め込むために予約され得る。
【０１３５】
[00159]  ＨＲＰＤセッションによって使用されるカラーコードは事前登録ゾーンＩＤに一致する。したがって、オペレータネットワーク内で、オペレータは、カラーコードのための新しいコーディングフォーマットを指定する。新しいコーディングフォーマットは、ｅＨＲＰＤネットワークとＬＴＥネットワークの両方において使用され得る。上記で説明した機構を使用することによって、ＬＴＥネットワークによって送信される異なるＨＲＰＤオペレータのためのカラーコード（事前登録ゾーンＩＤ）が、ロケーション（エリアまたは領域）において異なることが保証される。
【０１３６】
[00160]  別の態様では、ＵＥは、同じ値を有する異なるＨＲＰＤオペレータに関連するカラーコードを受信し得る。この事例では、カラーコードは、異なるＨＲＰＤオペレータを区別するための固有の識別子を含まないので、ＵＥは、カラーコード情報を不完全な情報として扱う。したがって、ＵＥが、前に受信したカラーコードとは異なる新しいカラーコードを受信したとき、ＵＥは、ＵＥに現在接続されているＨＲＰＤサブネットが変化したと仮定することになる。これにより、ＵＥは、ＵＥが新しいＨＲＰＤサブネットであると考えるＨＲＰＤサブネットにセッションを転送するために、セッション転送要求（たとえば、ＵＡＴＩ割当て要求メッセージ）をＬＴＥネットワークに送ることになる。したがって、拡張高速パケットデータアクセスネットワーク（ｅＡＮ）は、ＨＲＰＤカラーコード（事前登録ゾーンＩＤ）、したがって、ＨＲＰＤサブネットが変化しなかった場合でも、ＵＥにセッション転送応答（たとえば、ＵＡＴＩ割当て応答メッセージ）で応答することになる。
【０１３７】
[00161]  さらなる態様では、ＨＲＰＤネットワークのフットプリントを広告するためにＬＴＥネットワークによって使用されるパラメータが、サブネット識別子を含み得る。サブネット識別子は、たとえば、ＨＲＰＤネットワークのためのＰＬＭＮ  ＩＤを備え得る。このことは、たとえば、受信されたＰＬＭＮ  ＩＤが現在ＨＲＰＤサブネットのためのＰＬＭＮ  ＩＤとは異なるときに、ＵＥがセッション転送を実行することを可能にし得る。サブネット識別子はまた、サブネットＩＤを備え得る。上述のように、サブネットＩＤは、ＨＲＰＤサブネットを示す１２８ビット値である。サブネットＩＤは、ＨＲＰＤオペレータに固有であり、ＨＲＰＤカラーコード（事前登録ゾーンＩＤ）を使用するときに起こり得るような、複数のＨＲＰＤオペレータ間での潜在的重複を回避するために使用され得る。したがって、ＵＥが、ＬＴＥネットワークから２つ以上のＨＲＰＤサブネットＩＤを受信したとき、ＵＥは、あるＨＲＰＤオペレータを他のＨＲＰＤオペレータと区別することが可能である。したがって、ＵＥが、あるＨＲＰＤサブネットから別のＨＲＰＤサブネットに移動するとき、ＵＥは、サブネット識別子に基づいて、あるＨＲＰＤサブネットから他のＨＲＰＤサブネットにセッションを転送するためのセッション転送動作を実行することを容易に判断し得る。
【０１３８】
[00162]  図２０は、ワイヤレス通信の方法のフローチャート２０００である。本方法はＵＥによって実行され得る。ステップ２００２において、ＵＥは、第１の高速パケットデータ（ＨＲＰＤ）オペレータと第１のＨＲＰＤサブネットとに関連する第１のＨＲＰＤサブネット識別子を受信する。ステップ２００４において、ＵＥは、第１のＨＲＰＤサブネット識別子を、ロングタームエボリューション（ＬＴＥ）ネットワークを第１のＨＲＰＤオペレータと共有する第２のＨＲＰＤオペレータに関連する第２のＨＲＰＤサブネット識別子と区別する。
【０１３９】
[00163]  ステップ２００６において、ＵＥは、区別された第１のＨＲＰＤサブネット識別子に基づいて、第１のＨＲＰＤサブネットに対してセッション転送動作を実行すべきかどうかを判断する。特に、ＵＥは、区別された第１のＨＲＰＤサブネット識別子が現在ＨＲＰＤサブネットに関連するＨＲＰＤサブネット識別子とは異なるかどうかを判断する。異なる場合、ステップ２００８において、ＵＥは、第１のＨＲＰＤサブネットに対してセッション転送動作を実行する。サブネット識別子は、たとえば、ＰＬＭＮ  ＩＤを備え得る。したがって、第１のＨＲＰＤサブネット識別子が現在ＨＲＰＤサブネットに関連するＨＲＰＤサブネット識別子とは異なるとき、たとえば、受信されたＰＬＭＮ  ＩＤが現在ＨＲＰＤサブネットのためのＰＬＭＮ  ＩＤとは異なるとき、ＵＥは、第１のＨＲＰＤサブネットに対してセッション転送動作を実行し得る。
【０１４０】
[00164]  図２１は、ワイヤレス通信の方法のフローチャート２１００である。本方法はｅＮＢによって実行され得る。ステップ２１０２において、ｅＮＢは、第１の高速パケットデータ（ＨＲＰＤ）オペレータと第１のＨＲＰＤサブネットとに関連する第１のＨＲＰＤサブネット識別子を送信する。第１のＨＲＰＤサブネット識別子は、ロングタームエボリューション（ＬＴＥ）ネットワークを第１のＨＲＰＤオペレータと共有する第２のＨＲＰＤオペレータに関連する第２のＨＲＰＤサブネット識別子と区別可能である。ステップ２１０４において、たとえば、第１のＨＲＰＤサブネット識別子が、現在ＨＲＰＤサブネットに関連するＨＲＰＤサブネット識別子とは異なるとき、ｅＮＢは、たとえば、ＵＥから、第１のＨＲＰＤサブネット識別子に基づいて第１のＨＲＰＤサブネットにセッションを転送するようにとの少なくとも１つの要求を受信する。サブネット識別子は、たとえば、ＰＬＭＮ  ＩＤを備え得る。したがって、要求は、送信されたＰＬＭＮ  ＩＤがＵＥの現在ＨＲＰＤサブネットのためのＰＬＭＮ  ＩＤとは異なるときに受信され得る。
【０１４１】
[00165]  図２２は、例示的な装置２２０２中の異なるモジュール／手段／構成要素間のデータフローを示す概念データフロー図２２００である。本装置はＵＥであり得る。本装置は、受信モジュール２２０４と、セッション転送モジュール１１０８と、サブネットＩＤ区別モジュール２２１０と、送信モジュール２２１２とを含む。
【０１４２】
[00166]  一態様では、受信モジュール２２０４は、第１の高速パケットデータ（ＨＲＰＤ）オペレータと第１のＨＲＰＤサブネットとに関連する第１のＨＲＰＤサブネット識別子を受信する。サブネット識別子は、たとえば、第１のＨＲＰＤサブネットに関連するＰＬＭＮ  ＩＤを備え得る。サブネットＩＤ区別モジュール２２１０は、第１のＨＲＰＤサブネット識別子を、ロングタームエボリューション（ＬＴＥ）ネットワークを第１のＨＲＰＤオペレータと共有する第２のＨＲＰＤオペレータに関連する第２のＨＲＰＤサブネット識別子と区別する。セッション転送モジュール２２０８は、区別された第１のＨＲＰＤサブネット識別子に基づいて、第１のＨＲＰＤサブネットに対してセッション転送動作を実行すべきかどうかを判断する。特に、セッション転送モジュール２２０８は、区別された第１のＨＲＰＤサブネット識別子が現在ＨＲＰＤサブネットに関連するＨＲＰＤサブネット識別子とは異なるかどうかを判断する。異なる場合、セッション転送モジュール２２０８は、送信モジュール２２１２を介して第１のＨＲＰＤサブネットに対してセッション転送動作を実行する。
【０１４３】
[00167]  本装置は、図２０の上述のフローチャート中のアルゴリズムのステップの各々を実行する追加のモジュールを含み得る。したがって、図２０の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１４４】
[00168]  図２３は、例示的な装置２３０２中の異なるモジュール／手段／構成要素間のデータフローを示す概念データフロー図２３００である。本装置はｅＮＢであり得る。本装置は、受信モジュール２３０４と、セッション転送モジュール２３０８と、サブネットＩＤ作成モジュール２３１０と、送信モジュール２３１２とを含む。
【０１４５】
[00169]  一態様では、送信モジュール２３１２は、第１の高速パケットデータ（ＨＲＰＤ）オペレータと第１のＨＲＰＤサブネットとに関連する第１のＨＲＰＤサブネット識別子を送信する。サブネット識別子は、たとえば、第１のサブネットに関連するＰＬＭＮ  ＩＤを備え得る。第１のＨＲＰＤサブネット識別子は、サブネットＩＤ生成モジュール２３１０によって生成され得る。第１のＨＲＰＤサブネット識別子は、ロングタームエボリューション（ＬＴＥ）ネットワークを第１のＨＲＰＤオペレータと共有する第２のＨＲＰＤオペレータに関連する第２のＨＲＰＤサブネット識別子と区別可能である。セッション転送モジュール２３０８は、第１のＨＲＰＤサブネット識別子に基づいて第１のＨＲＰＤサブネットにセッションを転送するようにとの少なくとも１つの要求を受信する。第１のＨＲＰＤサブネット識別子は、現在ＨＲＰＤサブネットに関連するＨＲＰＤサブネット識別子とは異なり得る。
【０１４６】
[00170]  本装置は、図２１の上述のフローチャート中のアルゴリズムのステップの各々を実行する追加のモジュールを含み得る。したがって、図２１の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１４７】
[00171]  図２４は、処理システム２４１４を採用する装置２２０２’のためのハードウェア実装形態の一例を示す図２４００である。処理システム２４１４は、バス２４２４によって概略的に表されるバスアーキテクチャを用いて実装され得る。バス２４２４は、処理システム２４１４の特定の適用例および全体的な設計制約に応じて、任意の数の相互接続バスおよびブリッジを含み得る。バス２４２４は、プロセッサ２４０４、モジュール２２０４、２２０８、２２１０、２２１２、およびコンピュータ可読媒体２４０６によって表される１つまたは複数のプロセッサおよび／またはハードウェアモジュールを含む様々な回路を互いにリンクする。バス２４２４はまた、タイミングソース、周辺機器、電圧調整器、および電力管理回路など、様々な他の回路をリンクし得るが、これらの回路は当技術分野においてよく知られており、したがって、これ以上説明しない。
【０１４８】
[00172]  処理システム２４１４はトランシーバ２４１０に結合され得る。トランシーバ２４１０は、１つまたは複数のアンテナ２４２０に結合される。トランシーバ２４１０は、伝送媒体を介して様々な他の装置と通信するための手段を与える。処理システム２４１４は、コンピュータ可読媒体２４０６に結合されたプロセッサ２４０４を含む。プロセッサ２４０４は、コンピュータ可読媒体２４０６に記憶されたソフトウェアの実行を含む一般的な処理を担当する。ソフトウェアは、プロセッサ２４０４によって実行されたとき、処理システム２４１４に、特定の装置のための上記で説明した様々な機能を実行させる。コンピュータ可読媒体２４０６はまた、ソフトウェアを実行するときにプロセッサ２４０４によって操作されるデータを記憶するために使用され得る。処理システムは、モジュール２２０４、２２０８、２２１０、および２２１２のうちの少なくとも１つをさらに含む。それらのモジュールは、プロセッサ２４０４中で動作するか、コンピュータ可読媒体２４０６中に常駐する／記憶されたソフトウェアモジュールであるか、プロセッサ２４０４に結合された１つまたは複数のハードウェアモジュールであるか、またはそれらの何らかの組合せであり得る。処理システム２４１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１４９】
[00173]  一構成では、ワイヤレス通信のための装置２２０２／２２０２’は、第１の高速パケットデータ（ＨＲＰＤ）オペレータと第１のＨＲＰＤサブネットとに関連する第１のＨＲＰＤサブネット識別子を受信するための手段と、第１のＨＲＰＤサブネット識別子を、ロングタームエボリューション（ＬＴＥ）ネットワークを第１のＨＲＰＤオペレータと共有する第２のＨＲＰＤオペレータに関連する第２のＨＲＰＤサブネット識別子と区別するための手段と、区別された第１のＨＲＰＤサブネット識別子に基づいて、第１のＨＲＰＤサブネットに対してセッション転送動作を実行すべきかどうかを判断するための手段と、第１のＨＲＰＤサブネット識別子が現在ＨＲＰＤサブネットに関連するＨＲＰＤサブネット識別子とは異なるとき、第１のＨＲＰＤサブネットに対してセッション転送動作を実行するための手段とを含む。
【０１５０】
[00174]  上述の手段は、上述の手段によって具陳される機能を実行するように構成された、装置２２０２、および／または装置２２０２’の処理システム２４１４の上述のモジュールのうちの１つまたは複数であり得る。上記で説明したように、処理システム２４１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【０１５１】
[00175]  図２５は、処理システム２５１４を採用する装置２３０２’のためのハードウェア実装形態の一例を示す図２５００である。処理システム２５１４は、バス２５２４によって概略的に表されるバスアーキテクチャを用いて実装され得る。バス２５２４は、処理システム２５１４の特定の適用例および全体的な設計制約に応じて、任意の数の相互接続バスおよびブリッジを含み得る。バス２５２４は、プロセッサ２５０４、モジュール２３０４、２３０８、２３１０、２３１２、およびコンピュータ可読媒体２５０６によって表される１つまたは複数のプロセッサおよび／またはハードウェアモジュールを含む様々な回路を互いにリンクする。バス２５２４はまた、タイミングソース、周辺機器、電圧調整器、および電力管理回路など、様々な他の回路をリンクし得るが、これらの回路は当技術分野においてよく知られており、したがって、これ以上説明しない。
【０１５２】
[00176]  処理システム２５１４はトランシーバ２５１０に結合され得る。トランシーバ２５１０は、１つまたは複数のアンテナ２５２０に結合される。トランシーバ２５１０は、伝送媒体を介して様々な他の装置と通信するための手段を与える。処理システム２５１４は、コンピュータ可読媒体２５０６に結合されたプロセッサ２５０４を含む。プロセッサ２５０４は、コンピュータ可読媒体２５０６に記憶されたソフトウェアの実行を含む一般的な処理を担当する。ソフトウェアは、プロセッサ２５０４によって実行されたとき、処理システム２５１４に、特定の装置のための上記で説明した様々な機能を実行させる。コンピュータ可読媒体２５０６はまた、ソフトウェアを実行するときにプロセッサ２５０４によって操作されるデータを記憶するために使用され得る。処理システムは、モジュール２３０４、２３０８、２３１０、および２３１２のうちの少なくとも１つをさらに含む。それらのモジュールは、プロセッサ２５０４中で動作するか、コンピュータ可読媒体２５０６中に常駐する／記憶されたソフトウェアモジュールであるか、プロセッサ２５０４に結合された１つまたは複数のハードウェアモジュールであるか、またはそれらの何らかの組合せであり得る。処理システム２５１４は、ｅＮＢ６１０またはＭＭＥ７０６の構成要素であり得、メモリ６７６、および／またはＴＸプロセッサ６１６と、ＲＸプロセッサ６７０と、コントローラ／プロセッサ６７５とのうちの少なくとも１つを含み得る。
【０１５３】
[00177]  一構成では、ワイヤレス通信のための装置２３０２／２３０２’は、第１の高速パケットデータ（ＨＲＰＤ）オペレータと第１のＨＲＰＤサブネットとに関連する第１のＨＲＰＤサブネット識別子を送信するための手段であって、第１のＨＲＰＤサブネット識別子が、ロングタームエボリューション（ＬＴＥ）ネットワークを第１のＨＲＰＤオペレータと共有する第２のＨＲＰＤオペレータに関連する第２のＨＲＰＤサブネット識別子と区別可能である、送信するための手段と、第１のＨＲＰＤサブネット識別子に基づいて第１のＨＲＰＤサブネットにセッションを転送するようにとの少なくとも１つの要求を受信するための手段とを含む。
【０１５４】
[00178]  上述の手段は、上述の手段によって具陳される機能を実行するように構成された、装置２３０２、および／または装置２３０２’の処理システム２５１４の上述のモジュールのうちの１つまたは複数であり得る。上記で説明したように、処理システム２５１４は、ＴＸプロセッサ３１６と、ＲＸプロセッサ３７０と、コントローラ／プロセッサ３７５とを含み得る。したがって、一構成では、上述の手段は、ＴＸプロセッサ６１６と、ＲＸプロセッサ６７０と、コントローラ／プロセッサ６７５とであり得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【０１５５】
[00179]  開示したプロセスにおけるステップの特定の順序または階層は、例示的な手法の一例であることを理解されたい。設計上の選好に基づいて、プロセスにおけるステップの特定の順序または階層は並べ替えることができることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１５６】
[00180]  以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2015512595.tif 000003
【図２】
2015512595.tif 000004
【図３】
2015512595.tif 000005
【図４】
2015512595.tif 000006
【図５】
2015512595.tif 000007
【図６】
2015512595.tif 000008
【図７】
2015512595.tif 000009
【図８】
2015512595.tif 000010
【図９】
2015512595.tif 000011
【図１０】
2015512595.tif 000012
【図１１】
2015512595.tif 000013
【図１２】
2015512595.tif 000014
【図１３】
2015512595.tif 000015
【図１４】
2015512595.tif 000016
【図１５】
2015512595.tif 000017
【図１６】
2015512595.tif 000018
【図１７】
2015512595.tif 000019
【図１８】
2015512595.tif 000020
【図１９】
2015512595.tif 000021
【図２０】
2015512595.tif 000022
【図２１】
2015512595.tif 000023
【図２２】
2015512595.tif 000024
【図２３】
2015512595.tif 000025
【図２４】
2015512595.tif 000026
【図２５】
2015512595.tif 000027
【国際調査報告】
2015512595.tif 000028
2015512595.tif 000029
2015512595.tif 000030
2015512595.tif 000031